(57)【要約】【課題】ネットワーク回線につながっている情報端末機器から指令を出し、紙メディアに代表されるシート状部材への情報の出力を行うことができるとともに、可搬性の記憶メディアにも出力できるようにし、電子データの保管、移動などもできるようにした。【解決手段】紙への出力機能である電子写真原理のＭＦＰに、光ディスクドライブを組み込んだ構成で、８５は光ディスクドライブユニット、８６は未使用のメディアストック部である。ファイルデータをＭＦＰ内部のメモリに保存し、必要に応じて紙出力する。また、そのファイルデータを組み込まれた光ディスクドライブユニット８５を使用し、メディアストック部８６から搬送、設置された未使用のＤＶＤ-ＲあるいはＤＶＤ-ＲＷ等に焼くことにより、電子データとして持ち運びできる光ディスク（可搬性ストレージ）を作成する。【選択図】図８
2006270202.tif 000002
【特許請求の範囲】
【請求項１】
複数の情報端末機器と、シート状部材に色材を付与する出力装置と、可搬性の記憶メディアに所望の情報を書き込む出力装置とを有し、それらをネットワーク回線に接続してなる情報システムにおいて、前記可搬性の記憶メディアに所望の情報を書き込む出力装置に所望の情報を書き込まれる前の記憶メディアを複数個ストックすることを特徴とする情報システム。
【請求項２】
前記可搬性の記憶メディアに所望の情報を書き込む出力装置を複数種類設けることを特徴とする請求項１に記載の情報システム。
【請求項３】
前記可搬性の記憶メディアに所望の情報を書き込む出力装置を複数個設けることを特徴とする請求項１または２に記載の情報システム。
【請求項４】
前記可搬性の記憶メディアに所望の情報を書き込む出力装置は、該出力装置内部に複数種類の出力手段を設けることを特徴とする請求項１乃至３のいずれか１に記載の情報システム。
【請求項５】
前記可搬性の記憶メディアに所望の情報を書き込む出力装置は、該出力装置内部に複数個の出力手段を設けることを特徴とする請求項１乃至４のいずれか１に記載の情報システム。
【請求項６】
前記可搬性の記憶メディアは、フォーマット化された記憶メディアであることを特徴とする請求項１乃至５のいずれか１に記載の情報システム。
【請求項７】
前記可搬性の記憶メディアは、フォーマット化された記憶メディアと未フォーマットの記憶メディアであり、必要に応じて選択することを特徴とする請求項１乃至５のいずれか１に記載の情報システム。
【請求項８】
前記可搬性の記憶メディアの収納部材を複数個ストックしてなることを特徴とする請求項１乃至７のいずれか１に記載の情報システム。
【請求項９】
前記可搬性の記憶メディアに所望の情報を書き込む出力装置は、インクジェット原理の出力装置を具備し、前記可搬性の記憶メディアの表面に印写することを特徴とする請求項１乃至８のいずれか１に記載の情報システム。
【請求項１０】
前記可搬性の記憶メディアの表面にインク受容層を設けることを特徴とする請求項９に記載の情報システム。
【請求項１１】
前記可搬性の記憶メディアに所望の情報を書き込んだ後、前記収納部材に収納することを特徴とする請求項１乃至１０のいずれか１に記載の情報システム。
【請求項１２】
前記収納部材の表面にインクジェット原理によって印写することを特徴とする請求項８または１１に記載の情報システム。
【請求項１３】
前記収納部材の表面にインク受容層を設けることを特徴とする請求項１２に記載の情報システム。
【請求項１４】
前記シート状部材に色材を付与する出力装置と可搬性の記憶メディアに所望の情報を書き込む出力装置とは近接して配置されてネットワーク接続され、互いに関連する情報を出力することを特徴とする請求項１乃至１３のいずれか１に記載の情報システム。
【請求項１５】
前記シート状部材に色材を付与する出力装置は、情報の入力部と処理部と記憶部と出力部とよりなり、それらの間で情報のやりとりを行うとともに前記各部を１箇所に集中して構成し、前記出力部は異なる複数の手段よりなるとともに、その１つはシート状部材に色材を付与する手段であり、他はネットワーク上の他の機器に電子情報を送付する手段であり、前記入力部は異なる複数の手段よりなるとともに、その１つは原稿をイメージ情報として読み取るスキャナ手段であり、他はネットワーク上の他の機器からの電子情報を受け取る手段であり、かつ、複数のシート状部材を一体化する手段を有するような情報入出力装置であって、前記可搬性の記憶メディアに所望の情報を書き込む出力装置とは近接して配置されてネットワーク接続され、互いに関連する情報を出力することを特徴とする請求項１乃至１３のいずれか１に記載の情報システム。
【請求項１６】
前記シート状部材に色材を付与する出力装置は、カールソンプロセス原理を利用した出力装置であることを特徴とする請求項１乃至１５のいずれか１に記載の情報システム。
【請求項１７】
前記シート状部材に色材を付与する出力装置は、インクジェット原理を利用した出力装置であることを特徴とする請求項１乃至１５のいずれか１に記載の情報システム。
【請求項１８】
前記可搬性の記憶メディアは、光メモリであることを特徴とする請求項１乃至１７のいずれか１に記載の情報システム。
【請求項１９】
前記光メモリは、非可逆性メモリであることを特徴とする請求項１８に記載の情報システム。
【請求項２０】
前記可搬性の記憶メディアは、光磁気メモリであることを特徴とする請求項１乃至１８のいずれか１に記載の情報システム。
【請求項２１】
前記可搬性の記憶メディアは、半導体不揮発メモリであることを特徴とする請求項１乃至１８のいずれか１に記載の情報システム。
【発明の詳細な説明】
【技術分野】
【０００１】
本発明は、情報システム、より詳細には、ネットワーク環境にある情報システムに関するものであり、特に、情報の出力媒体として可搬性の記憶メディアを使用する情報システムに関するものである。
【背景技術】
【０００２】
近年、デジタル化の波に乗り、例えば、複写機は従来の単に文書の複写を行うといういわゆる複写機としての機能の他にスキャナ機能、ファックス機能、プリンタ機能等を備えたデジタル複合機、ＭＦＰ（マルチファンクションプリンタ、マルチファンクションペリフェラル）として進化してきている（例えば、特許文献１参照。）。それにともない、このようなデジタル複合機、ＭＦＰもコンピュータネットワークに組み込まれ、扱う情報もいわゆる電子データとしてネットワーク内を駆け巡る時代となってきている。さらに、このような電子データの特質を生かし、大量の文書データを保管するファイリング機能も備えた装置としての側面も持つようになってきている（例えば、特許文献２参照。）。
【０００３】
このようにコンピュータあるいはネットワークシステムの進化により、全てのデータが電子データとして便利に活用できるようになってきた時代においては、データの送受信もネットワークを介して行われるのが一般的になりつつある。
【０００４】
一方で、このような目に見えないネットワーク網による情報のやりとりの便利さを認めながらも、受け取りの確実性を望む需要もある。具体的には、光メモリ等に代表される可搬性の記憶メディアに情報を記憶させて、じかに手渡しするという状況、また、その可搬性の記憶メディアを破損させることなく携帯するという状況がある。さらに、このような状況下においては、このような可搬性の記憶メディアに効率よく情報を書き込むための手段ならびにその周辺の技術も望まれている。
【特許文献１】特開２００２−２０２８７０号公報
【特許文献２】特開２００２−０２７１９２号公報
【発明の開示】
【発明が解決しようとする課題】
【０００５】
本発明は、このような実情に鑑みてなされたもので、
第１の目的は、可搬性の記憶メディアに情報出力できる装置を含む新規な構成のネットワークシステムを提供し、その出力作業が効率よく行えるようにすることにある。
【０００６】
第２の目的は、このような情報システムをより有効に使用できるようにすることにある。
第３の目的も、このような情報システムをより効率よく使用できるようにすることにある。
第４の目的も、このような情報システムをより有効に使用できるようにすることにある。
第５の目的も、このような情報システムをより効率よく使用できるようにすることにある。
第６の目的も、このような情報システムをより効率よく使用できるようにすることにある。
第７の目的も、このような情報システムをより有効に使用できるようにすることにある。
第８の目的も、このような情報システムをより効率よく使用できるようにすることにある。
【０００７】
第９の目的は、このような情報システムの特性を利用し、より有効に使用できるようにすることにある。
【０００８】
第１０の目的は、このような情報システムに独特な使用方法を提供することにある。
第１１の目的も、このような情報システムに独特な他の使用方法を提供することにある。
第１２の目的も、このような情報システムに独特な使用方法を提供することにある。
第１３の目的も、このような情報システムに独特な他の使用方法を提供することにある。
第１４の目的も、このような情報システムをより有効に使用できるようにすることにある。
第１５の目的は、新規な情報システムに独特な構成を利用し、その有効な使用方法を提供することにある。
【０００９】
第１６の目的は、このような情報システムによってシート状部材へ出力する場合の具体的構成を提供することにある。
第１７の目的も、このような情報システムによってシート状部材へ出力する場合の他の具体的構成を提供することにある。
【００１０】
第１８の目的は、このような情報システムによって可搬性の記憶メディアに情報を書き込む場合の具体的構成を提供することにある。
第１９の目的も、このような情報システムによって可搬性の記憶メディアに情報を書き込む場合の他の具体的構成を提供することにある。
第２０の目的も、このような情報システムによって可搬性の記憶メディアに情報を書き込む場合のさらに他の具体的構成を提供することにある。
第２１の目的も、このような情報システムによって可搬性の記憶メディアに情報を書き込む場合のさらに他の具体的構成を提供することにある。
【課題を解決するための手段】
【００１１】
本発明は、前記目的を達成するために、
第１の発明は、複数の情報端末機器と、シート状部材に色材を付与する出力装置と、可搬性の記憶メディアに所望の情報を書き込む出力装置とを有し、それらをネットワーク回線に接続してなる情報システムにおいて、前記可搬性の記憶メディアに所望の情報を書き込む出力装置に所望の情報を書き込まれる前の記憶メディアを複数個ストックするようにした。
【００１２】
第２の発明は、第１に記載の発明において、前記可搬性の記憶メディアに所望の情報を書き込む出力装置を複数種類設けるようにした。
第３の発明は、第１または第２に記載の発明において、前記可搬性の記憶メディアに所望の情報を書き込む出力装置を複数個設けるようにした。
【００１３】
第４の発明は、第１乃至３のいずれか１に記載の発明において、前記可搬性の記憶メディアに所望の情報を書き込む出力装置は、該出力装置内部に複数種類の出力手段を設けるようにした。
第５の発明は、第１乃至４のいずれか１に記載の発明において、前記可搬性の記憶メディアに所望の情報を書き込む出力装置は、該出力装置内部に複数個の出力手段を設けるようにした。
第６の発明は、第１乃至５のいずれか１に記載の発明において、前記可搬性の記憶メディアは、フォーマット化された記憶メディアであるようにした。
【００１４】
第７の発明は、第１乃至５のいずれか１に記載の発明において、前記可搬性の記憶メディアは、フォーマット化された記憶メディアと未フォーマットの記憶メディアであり、必要に応じて選択するようにした。
第８の発明は、第１乃至７のいずれか１に記載の発明において、前記可搬性の記憶メディアの収納部材を複数個ストックしてなるようにした。
【００１５】
第９の発明は、第１乃至８のいずれか１に記載の発明において、前記可搬性の記憶メディアに所望の情報を書き込む出力装置は、インクジェット原理の出力装置を具備し、前記可搬性の記憶メディアの表面に印写するようにした。
【００１６】
第１０の発明は、第９に記載の発明において、前記可搬性の記憶メディアの表面にインク受容層を設けるようにした。
第１１の発明は、第１乃至１０のいずれか１に記載の発明において、前記可搬性の記憶メディアに所望の情報を書き込んだ後、前記収納部材に収納するようにした。
第１２の発明は、第８または第１１に記載の発明において、前記収納部材の表面にインクジェット原理によって印写するようにした。
【００１７】
第１３の発明は、第１２に記載の発明において、前記収納部材の表面にインク受容層を設けるようにした。
第１４の発明は、第１乃至１３のいずれか１に記載の発明において、前記シート状部材に色材を付与する出力装置と可搬性の記憶メディアに所望の情報を書き込む出力装置とは近接して配置されてネットワーク接続され、互いに関連する情報を出力するようにした。
【００１８】
第１５の発明は、上記第１乃至１３のいずれか１に記載の発明において、前記シート状部材に色材を付与する出力装置は、情報の入力部と処理部と記憶部と出力部とよりなり、それらの間で情報のやりとりを行うとともに前記各部を１箇所に集中して構成し、前記出力部は異なる複数の手段よりなるとともに、その１つはシート状部材に色材を付与する手段であり、他はネットワーク上の他の機器に電子情報を送付する手段であり、前記入力部は異なる複数の手段よりなるとともに、その１つは原稿をイメージ情報として読み取るスキャナ手段であり、他はネットワーク上の他の機器からの電子情報を受け取る手段であり、かつ複数のシート状部材を一体化する手段を有するような情報入出力装置であって、前記可搬性の記憶メディアに所望の情報を書き込む出力装置とは近接して配置されてネットワーク接続され、互いに関連する情報を出力するようにした。
【００１９】
第１６の発明は、第１乃至１５のいずれか１に記載の発明において、前記シート状部材に色材を付与する出力装置は、カールソンプロセス原理を利用した出力装置であるようにした。
第１７の発明は、第１乃至１５のいずれか１に記載の発明において、前記シート状部材に色材を付与する出力装置は、インクジェット原理を利用した出力装置であるようにした。
第１８の発明は、第１乃至１７のいずれか１に記載の発明において、前記可搬性の記憶メディアは光メモリであるようにした。
【００２０】
第１９の発明は、第１８に記載の発明において、前記光メモリは、非可逆性メモリであるようにした。
第２０の発明は、第１乃至１８のいずれか１に記載の発明において、前記可搬性の記憶メディアは光磁気メモリであるようにした。
第２１の発明は、第１乃至１８のいずれか１に記載の発明において、前記可搬性の記憶メディアは半導体不揮発メモリであるようにした。
【発明の効果】
【００２１】
第１の発明によれば、複数の情報端末機器と、シート状部材に色材を付与する出力装置と、可搬性の記憶メディアに所望の情報を書き込む出力装置とを有し、それらをネットワーク回線に接続してなる情報システムにおいて、前記可搬性の記憶メディアに所望の情報を書き込む出力装置に所望の情報を書き込まれる前の記憶メディアを複数個ストックするようにしたので、ネットワーク回線につながっている情報端末機器から指令を出し、紙メディアに代表されるシート状部材への情報の出力（いわゆるプリントアウト）を行うことができるとともに、可搬性の記憶メディアにも出力できるようになり、電子データの保管、移動などもできるようになった。
また、記憶メディアを複数個ストックしているので、情報を書き込まれた記憶メディアを複数個出力することも可能となり、出力された紙メディアならびに記憶メディアを複数人に配布したりすることができるようになった。
【００２２】
第２の発明によれば、第１の発明において、前記可搬性の記憶メディアに所望の情報を書き込む出力装置を複数種類設けるようにしたので、上記効果に加え、情報を書き込むための記憶メディアを選択して最適な記憶メディアに出力することができるようになった。
【００２３】
第３の発明によれば、第１または２の発明において、前記可搬性の記憶メディアに所望の情報を書き込む出力装置を複数個設けるようにしたので、上記効果に加え、複数個の記憶メディアへの出力、記録を行わなければならないような場合も、迅速に対応できるようになった。
【００２４】
第４の発明によれば、第１乃至３のいずれか１の発明において、前記可搬性の記憶メディアに所望の情報を書き込む出力装置は、該出力装置内部に複数種類の出力手段を設けるようにしたので、上記効果に加え、所望の記憶メディアを適宜選択することができるとともにその出力を１つの出力装置から行うことができるので、他の場所に行くことなく、同じ場所で効率的に、書き込み後の記憶メディアを手に入れることができるようになった。
【００２５】
第５の発明によれば、第１乃至４のいずれか１の発明において、前記可搬性の記憶メディアに所望の情報を書き込む出力装置は、該出力装置内部に複数個の出力手段を設けるようにしたので、上記効果に加え、複数個の記憶メディアへの出力、記録を行わなければならないような場合も、迅速に対応でき、また、その出力を１つの出力装置から行うことができるので、他の場所に行くことなく、同じ場所で効率的に、書き込み後の記憶メディアを手に入れることができるようになった。
【００２６】
第６の発明によれば、第１乃至５のいずれか１の発明において、前記可搬性の記憶メディアは、フォーマット化された記憶メディアであるようにしたので、上記効果に加え、記憶メディアへの書き込み時にフォーマット化を行う必要がないため、その書き込みが迅速に行うことができるようになった。
【００２７】
第７の発明によれば、第１乃至５のいずれか１の発明において、前記可搬性の記憶メディアは、フォーマット化された記憶メディアと未フォーマットの記憶メディアであり、必要に応じて選択するようにしたので、上記効果に加え、同一のフォーマットのものに大量に迅速に処理したい場合にはフォーマット化された記憶メディアを選択し、高速で書き込みを行うことができ、また一方で使用者側で特定の所望のフォーマットで書き込みたい場合には、未フォーマットの記憶メディアを選択し、所望のフォーマットで書き込みを行うことができるようになった。
【００２８】
第８の発明によれば、第１乃至７のいずれか１の発明において、前記可搬性の記憶メディアの収納部材を複数個ストックしてなるようにしたので、上記効果に加え、情報を書き込まれた記憶メディアを収納することができるようになるとともに、このような情報を書き込まれた記憶メディアを複数個製作してもそれを収納する収納部材がたりなくなって困るというような不具合がなくなった。
【００２９】
第９の発明によれば、第１乃至８のいずれか１の発明において、前記可搬性の記憶メディアに所望の情報を書き込む出力装置は、インクジェット原理の出力装置を具備し、前記可搬性の記憶メディアの表面に印写するようにしたので、上記効果に加え、可搬性の記憶メディアの識別情報などを簡単に記録でき、目に見えない記憶メディア内部に記憶されている情報などの区別ができるようになった。
また、インクジェット原理という非接触記録なので、記憶メディアの形状などに依存することなく、あらゆる形状、タイプの記憶メディアの表面に識別情報などが記録できるようになった。
【００３０】
第１０の発明によれば、第９の発明において、前記可搬性の記憶メディアの表面にインク受容層を設けるようにしたので、上記効果に加え、このような可搬性の記憶メディアの表面ににじみなどのない良好な記録を行うことができるようになり、さらにその記録された情報の定着性がよくなった。
【００３１】
第１１の発明によれば、第１乃至１０のいずれか１の発明において、前記可搬性の記憶メディアに所望の情報を書き込んだ後、前記収納部材に収納するようにしたので、上記効果に加え、所望の情報が書き込まれた可搬性の記憶メディアを破損などの事故から防止でき、安全に持ち運びできるようになった。
【００３２】
第１２の発明によれば、第８または１０の発明において、前記収納部材の表面にインクジェット原理によって印写するようにしたので、上記効果に加え、収納部材の外側から内容物の情報の識別などが視認できるようになった。
【００３３】
第１３の発明によれば、第１２の発明において、前記収納部材の表面にインク受容層を設けるようにしたので、上記効果に加え、このような収納部材の表面ににじみなどのない良好な記録を行うことができるようになり、さらにその記録された情報の定着性がよくなった。
【００３４】
第１４の発明によれば、第１乃至１３のいずれか１の発明において、前記シート状部材に色材を付与する出力装置と可搬性の記憶メディアに所望の情報を書き込む出力装置とは近接して配置されてネットワーク接続され、互いに関連する情報を出力するようにしたので、上記効果に加え、シート状出力物（シート状文書やシート状のイメージプリントアウト物）とその電子情報あるいは関連する電子情報を書き込んだ可搬性の記憶メディアとをほとんど同じ場所で手に入れることができ、またいつでもすぐに互いに参照でき、その利用価値を高くすることができるようになった。
【００３５】
第１５の発明によれば、第１乃至１３のいずれか１の発明において、前記シート状部材に色材を付与する出力装置は、情報の入力部と処理部と記憶部と出力部とよりなり、それらの間で情報のやりとりを行うとともに前記各部を１箇所に集中して構成し、前記出力部は異なる複数の手段よりなるとともに、その１つはシート状部材に色材を付与する手段であり、他はネットワーク上の他の機器に電子情報を送付する手段であり、前記入力部は異なる複数の手段よりなるとともに、その１つは原稿をイメージ情報として読み取るスキャナ手段であり、他はネットワーク上の他の機器からの電子情報を受け取る手段であり、かつ複数のシート状部材を一体化する手段を有するような情報入出力装置であって、前記可搬性の記憶メディアに所望の情報を書き込む出力装置とは近接して配置されてネットワーク接続され、互いに関連する情報を出力するようにしたので、上記効果に加え、本発明のシステムによって、出力されるシート状部材への情報の出力は、単にシート状部材へ出力されるだけではなく、ネットワーク回線につながっているＰＣから指令を出したりして処理された情報であったり、スキャナ手段によって取り込まれた情報であったり、それらを編集、加工したりした情報をシート状部材へ出力したものとすることができた。あわせて、可搬性の記憶メディアにも関連する情報などを出力でき、電子データの保管、移動などもできるようになった。
【００３６】
第１６の発明によれば、第１乃至１５のいずれか１の発明において、前記シート状部材に色材を付与する出力装置は、カールソンプロセス原理を利用した出力装置であるようにしたので、上記効果に加え、紙メディアに代表されるシート状部材への出力生産性を大変高いものとすることができた。
【００３７】
第１７の発明によれば、第１乃至１５のいずれか１の発明において、前記シート状部材に色材を付与する出力装置は、インクジェット原理を利用した出力装置であるようにしたので、上記効果に加え、紙メディアに代表されるシート状部材へのカラー出力が容易であるとともに、Ａ２〜Ａ０といった大判サイズや長尺のバナーのような媒体にも容易に出力できるようになった。
【００３８】
第１８の発明によれば、第１乃至１７のいずれか１の発明において、前記可搬性の記憶メディアは光メモリであるようにしたので、上記効果に加え、このように紙メディアに出力（いわゆるプリントアウト）する／した情報をさらに電子データとして保管する場合の可搬性記憶メディアとして、汎用性が高く大変利用しやすいものとすることができた。
【００３９】
第１９の発明によれば、第１８の発明において、前記光メモリは、非可逆性メモリであるようにしたので、上記効果に加え、消耗品としての記憶メディア１個あたりの値段が安く、大変経済的な情報システムとすることができるとともに、書き込まれた情報の改ざんを防止できるようになった。
【００４０】
第２０の発明によれば、第１乃至１８のいずれか１の発明において、前記可搬性の記憶メディアは光磁気メモリであるようにしたので、上記効果に加え、このように紙メディアに出力（いわゆるプリントアウト）する／した情報をさらに電子データとして保管する場合の可搬性記憶メディアとして、汎用性が高く大変利用しやすいものとすることができた。
【００４１】
第２１の発明によれば、第１乃至１８のいずれか１の発明において、前記可搬性の記憶メディアは半導体不揮発メモリであるようにしたので、上記効果に加え、このように紙メディアに出力（いわゆるプリントアウト）する／した情報をさらに電子データとして保管する場合の可搬性記憶メディアとして、汎用性が高く大変利用しやすいものとすることができた。
また、半導体不揮発メモリであるので、電源を切ってもデータが消えることなく保存され、さらに動作時に機械的な可動部分がなく、高速応答ならびに信頼性が高い、大変使用しやすい情報システムとすることができた。
【発明を実施するための最良の形態】
【００４２】
以下に、本発明のシステムであるカラー画像形成装置ＭＦＰ（マルチファンクションプリンタ、あるいは、マルチファンクションペリフェラルともいう）の実施の形態について説明する。なお、以下に示す実施の形態は例示であり、これに限定されるものではない。
【００４３】
図１、図２は本発明のシステムに好適に適用される紙に代表されるシート状部材に色材を付与する代表例としての電子写真複写装置である。なお、紙の他に、ＯＨＰシートのような樹脂フィルムのようなものも好適に利用されるのはいうまでもない。
【００４４】
図１は、電子写真原理（カールソンプロセス）のエンジン部（画像形成部）を示したものであり、ここでは、潜像担持体としての感光体ドラム６１（６１Ｋ，６１Ｃ，６１Ｍ，６１Ｙ）をタンデム配列した乾式２成分現像方式のフルカラー作像装置の画像形成部を示している。
【００４５】
図２は、感光体ドラムをタンデムに配列したフルカラー作像装置の全体構成を示す図で、図２において、４連タンデム型のカラー画像形成装置ＭＦＰ（マルチファンクションプリンタ、マルチファンクションペリフェラル）のほぼ中央に画像形成部１が配置され、この画像形成部１のすぐ下方には給紙部２が配置され、給紙部２には各段に給紙トレイ２１が設けられている。また、画像形成部１の上方には、原稿を読み取る読み取り部３が配設されている。画像形成部１の用紙搬送方向下流側（図示左側）には排紙収納部、所謂排紙トレイ４が設けられ、排紙された画像形成済みの記録紙が積載される。
【００４６】
画像形成部１では、図１に示すように、無端状のベルトからなる中間転写ベルト５の上方に、イエロー（Ｙ）、マゼンタ（Ｍ）、シアン（Ｃ）、ブラック（Ｋ）用の複数の作像部６が並置されている。なお、図１では、各部の後ろに色を表すＹ，Ｍ，Ｃ，Ｋを付けて各色の作像部を区別している。各々の作像部６では、各色毎に設けられたドラム状の感光体６１の外周に沿って、帯電装置６２、露光部６５、現像装置６３、感光体クリーニング装置６４などが配置されている。帯電装置６２は、感光体６１の表面に帯電処理を行い、露光部６５では、画像情報を感光体６１表面にレーザ光で照射する露光装置７からのレーザ光が照射される。現像装置６３は、感光体６１の表面に露光されて形成された静電潜像をトナー現像して可視化し、感光体クリーニング装置６４は転写後に感光体６１の表面に残留したトナーを除去回収する。
【００４７】
作像プロセスとしては、中間転写ベルト５上に各色毎の画像が作像され、中間転写ベルト５上に４色が重畳されて１つのカラー画像が形成される。その際、最初に、イエロー（Ｙ）の作像部で、イエロー（Ｙ）のトナーを現像し、中間転写ベルト５に１次転写装置６６によって転写する。次に、マゼンタ（Ｍ）の作像部で、マゼンタのトナーを現像し、中間転写ベルト５に転写する。次に、シアン（Ｃ）の作像部で、シアンのトナーを現像し、中間転写ベルト５上に転写し、最後に、ブラック（Ｋ）のトナーを現像し、中間転写ベルト５上に転写し、４色が重畳されたフルカラーのトナー画像が形成される。そして、中間転写ベルト５上に転写された４色のトナー像は、給紙部２から給紙されてきた記録紙２０に２次転写装置５１で転写され、定着装置８によって定着された後、排紙ローラ４１によって排紙トレイ４に排紙され、あるいは両面装置９に搬送される。
【００４８】
両面印刷時は、搬送経路は分岐部９１で分岐され、両面装置９を経由して、記録紙２０は反転される。そして、レジストローラ２３で用紙のスキューが補正され、表面への画像形成動作と同様にして裏面への画像形成動作が行われる。一方、フルカラーのトナー像が転写された後、中間転写ベルト５の表面に残留したトナーは中間転写ベルトクリーニング装置５２によって除去回収される。なお、符号９２は両面装置９からの反転排紙経路である。
【００４９】
給紙部２は、給紙トレイ２１に未使用の記録紙２０が収容されており、最上位の記録紙２０がピックアップローラ２５に当接する位置まで、一端が給紙トレイ２１の底部に揺動可能に支持された底板２４の他端を上昇させる。そして、給紙ローラ２６の回転により、最上位の記録紙２０はピックアップローラ２５によって給紙トレイ２１から引き出され、給紙ローラ２６によって縦搬送路２７を介してレジストローラ２３側へと搬送される。レジストローラ２３は記録紙２０の搬送を一時止め、中間転写ベルト５上のトナー像と記録紙２０の先端との位置関係が所定の位置になるよう、タイミングをとって記録紙２０を送り出す。レジストローラ２３は前記縦搬送路２７からの記録紙２０の他に、手差しトレイ８４から搬送されてくる記録紙２０に対しても同様に機能する。なお、図２中、符号８１は分岐爪、符号８２はジャム紙排紙トレイであり、縦搬送路２７の下流側でジャムが生じたときに分岐爪８１が作動して排紙トレイ８２に用紙を導出する機能を有する。
【００５０】
読み取り部３では、コンタクトガラス３１上に載置される原稿（図示せず）の読み取り走査を行うために、原稿照明用光源とミラーを搭載した第１及び第２の走行体３２、３３が往復移動する。この走行体３２、３３により走査された画像情報は、レンズ３４によって後方に設置されているＣＣＤ３５の結像面に集光され、ＣＣＤ３５によって画像信号として読み込まれる。この読み込まれた画像信号は、デジタル化され画像処理される。
【００５１】
なお、読み取り密度（分解能）であるが、本発明においては必要に応じて、３００ｄｐｉ、６００ｄｐｉ、１２００ｄｐｉの密度で読み取ることができ、読み取り密度を選択する。また、赤（Ｒ）、緑（Ｇ）、青（Ｂ）の３原色フィルターによってフィルタリングされた後、ＣＣＤ３５によって画像信号として読み込まれ、カラー画像データとして取り込まれる。
【００５２】
このようにして取り込まれたイメージ情報データは、いったんＭＦＰ内部のメモリに保存される。その際、読み込まれたままのビットマップデータとして保存してもよいし、ＪＰＥＧ等により１／１０〜１／１００程度の容量に圧縮したデータ（ＪＰＥＧデータ）したとして保存してもよい。取り込まれたイメージ情報データは、後述するように、必要に応じて電子写真原理やインクジェット原理等の印写データとして、あるいは可搬性記憶メディアへの保存データとして、さらにはネットワーク回線を通じて他の情報処理装置等にメイル配信されたりして使われるが、ＭＦＰ内部に長期に保存するような場合や、ネットワーク配信するような場合は、圧縮データとして保存したり、配信したりするほうが、ＭＦＰ自体のメモリ容量の負荷、ネットワークサーバの負荷、回線の負荷などを低減でき、またＭＦＰ内部および外部ネットワークにおけるデータ送受信の伝送速度の高速化がはかれる。
【００５３】
次に、このような画像イメージデータは、画像処理信号に基づいて、露光装置７内のレーザダイオードＬＤ（図示せず）の発光による感光体６１の表面に光書き込みに使用され、感光体６１の表面に静電潜像が形成される。ＬＤからの光信号は、ポリゴンミラーやレンズを介して感光体６１（それぞれイエロー（Ｙ）、マゼンタ（Ｍ）、シアン（Ｃ）、ブラック（Ｋ）用の感光体）に至る。また、読み取り部３の上部には、原稿を自動的にコンタクトガラス上に搬送する自動原稿搬送読取装置（Ａｕｔｏ  Ｄｏｃｕｍｅｎｔ  Ｆｅｅｄｅｒ  ＡＤＦ）３６が取り付けられている。
【００５４】
図３は、本発明に適用される自動原稿搬送読取装置（ＡＤＦ）３６について説明するための図で、図３に示した例は、シート状原稿を１枚ずつ搬送し、読取り手段の読取り面を通過させる過程で、原稿画像の読取りを行うシートスルータイプのものである。また、本発明ではシート状両面原稿を一回搬送する過程で両面の各画像原稿情報を読取ることができるように、原稿搬送経路に沿った２カ所に読取り手段を配置している。
【００５５】
本発明の自動原稿搬送読取装置（ＡＤＦ）３６は、図３に示すように、被読取り原稿束をセットする原稿セット部Ａ、原稿セット部Ａにセットされた原稿束から一枚ずつ原稿を分離して給送する分離給送部Ｂ、給送された原稿を一次突き当て整合する働きと、整合後の原稿を引き出し搬送する働きを有したレジスト部Ｃ、搬送される原稿をターンさせて原稿面を読取り側（下方）に向けて搬送するターン部Ｄ、原稿の表面画像を、コンタクトガラス３１の下方より読取りを行わせる第１読取り搬送部（第１読取り位置）Ｅ、表面画像読取り後の原稿の裏面画像を読取る第２読取り搬送部（第２読取り位置）Ｆ、表裏の読取りが完了した原稿を機外に排出する排紙部Ｇ、読取り完了後の原稿を積載保持するスタック部Ｈ、これらの搬送動作の駆動を行う駆動部、さらに、一連の動作を制御するコントローラ部とから構成されている。
【００５６】
第１読取り搬送部Ｅには、コンタクトガラス３１と、読取りローラ３７と、コンタクトガラス３１の直下に停止した図示しない読取り手段（第１読取り手段）が配置されている。この第１読取り手段は、原稿表面の画像を読取る。
【００５７】
また、第２読取り搬送部Ｆには、ＣＣＤを備えた読取り手段（第２読取り手段）３８と、読取りローラ３９が配置されている。この第２読取り手段３８は、原稿上面（裏面）の画像を読取る。読取りローラ３９は、その周面を読取り手段３８の読取り面３８ａと非接触状態で対向配置されている。
【００５８】
なお、本発明では、複数枚のシート状原稿を効率よく逐次、搬送、画像データ読み取りすることができるが、原稿が１枚だけであっても好適に利用できることはいうまでもない。また、原稿の読み取りは、表裏両面の読み取りが可能であるが、原稿の種類に応じて、片面だけ読み取るようにしたり、両面読み取るようにしたりする。通常は、第１読取り搬送部（第１読取り位置）Ｅにおいて片面のみ読み取るようにしており、両面原稿の場合に第２読取り搬送部（第２読取り位置）Ｆにおいて第２読取り手段３８によって、読み取るようにしている。
【００５９】
ところで、本実施形態に係るカラー画像形成装置ＭＦＰ（マルチファンクションプリンタ、あるいはマルチファンクションペリフェラルともいう）は、前述のように、光走査して原稿を読み取り、デジタル化して用紙に複写する、いわゆる、デジタルカラー複写機としての機能の他に、読み取った原稿の画像情報データをＭＦＰ内部のメモリに保存したり、図示せぬ制御装置により原稿の画像情報を遠隔地と授受するファクシミリの機能や、コンピュータが扱う画像情報を用紙上に印刷するいわゆるプリンタの機能を有する多機能の画像形成装置である。
【００６０】
これは、この装置単独でこのような機能を持たせているが、後述するように、ネットワークに接続されサーバ管理のもとに、他の各種装置（スキャナ、各種プリンタ、光ディスクドライブ、ハードディスクドライブ等）と協同動作させるシステムとすることも可能である。あるいは、本発明のＭＦＰ自体にいわゆるネットワークサーバの機能を持たせることも可能であり、上記のようなプリンタ機能、スキャナ機能、ファクシミリ機能、データ保存機能、データ編集機能、メイル配信機能等に加えて、ネットワークサーバ機能も持たせて１台の（１箇所に集中して構成した）情報入出力装置としてもよい。
【００６１】
次に、紙に代表されるシート状部材に色材を付与するもう１つの代表例としてのインクジェット記録原理を簡単に説明する。
いわゆる、インクジェット記録と呼ばれているものは、その原理によって種々の方法が存在するが、ここでは、その一例として、熱を利用するサーマルインクジェット方式で説明する。なお、ここでは、サーマルインクジェット方式によって説明するが、他のピエゾを利用したオンデマンド方式、あるいは、荷電制御型とよばれるいわゆる連続流型のインクジェットであっても本発明に好適に利用できることはいうまでもない。
【００６２】
図４は、インクジェットヘッドユニットの一例を説明するための図で、図４（ａ）は全体斜視図、図４（ｂ）は分解斜視図である。このヘッドユニット６７は、直径１０μｍ〜３０μｍ（丸ではなく他の形状の場合、その開口は面積換算で１００μｍ２〜７００μｍ２程度）の微細なインクを噴射するノズルを有したヘッドチップ６８と、そこにインクを供給するためのインク容器部７０とを一体的に形成したものである。ヘッドチップ６８は、ＦＰＣ（フレキシブルプリントサーキット）６９に接続され、ＦＰＣに設けられた電気接点をキャリッジ側の接点（図示せず）と接触することにより、プリンタ本体側より電気信号を受け取り、インクを噴射して記録を行うようになっている。７１は裏蓋、７２はインク吸収体で、インク吸収体７２は、インクを含浸させたスポンジであり、キャリッジが移動して振動しても、容器内部でインク中に泡が発生するようなことはないような構成となっている。インク吸収体７２に含浸されているインクを使いきった時点で、このヘッドユニット全体を交換するようなっている。
【００６３】
次に、図５（ａ）〜図５（ｅ）を参照しながらインクの噴射原理について説明する。図５（ａ）〜図５（ｅ）は、サーマルインクジェト方式においては吐出口の近傍を断面図で示したものである。図５（ａ）は定常状態であり、吐出口部でインク１０の表面張力と外圧とが平衡状態にある。図５（ｂ）は発熱体１１が加熱されて該発熱体１１の表面温度が急上昇し、隣接インク層に膜沸騰現象が生じ、沸騰膜を作り、気泡１２が成長した状態である。この時、吐出口部の圧力は、気泡の成長した分だけ上昇し、外圧とのバランスがくずれ、吐出口よりインク柱１０が成長しはじめる。図５（ｃ）は気泡１２が最大に成長した状態であり、吐出口部からインク柱１０が押し出される。この時、発熱体１１には電流が流れていない状態にあり、発熱体１１の表面温度は降下しつつある。気泡１２の体積の最大値は電気パルス印加のタイミングからややおくれる。
【００６４】
図５（ｄ）は気泡１２がインクなどにより冷却されて収納した状態を示す。インク柱１０の先端部では、押し出された速度を保ちつつ前進し、後端部では気泡１２の収縮にともない吐出口内圧の減少によりインクが逆流し、インク柱１０の根本がくびれ、その後、くびれ部から切断されて、インク滴１３となって空中に飛翔する。吐出口部では、外圧が吐出口内圧より高い状態になるため、メニスカスが大きく吐出口内に入りこんできている。インク滴１３の先端部は８〜１８ｍ／ｓの速度をもち、記録紙の方向に飛翔する。図５（ｅ）は吐出口部にインクが毛細管現象により再び供給（リフィル）されて、図５（ａ）の状態にもどる過程で気泡は完全に消滅している。
【００６５】
なお、このような原理の他に、発熱体の駆動制御の仕方や吐出口部のディメンションを選び発生した気泡１２によって、気泡１２の前方にあるインクをほぼ全部吐出口の外に押し出す方式も可能である。その場合、前記の方式に比べ、気泡１２の収縮にともなうインクの逆流、インク柱１０の根本がくびれという現象がない分、１吐出口あたりのインク滴形成頻度（駆動周波数）を１５ｋＨｚ〜５０ｋＨｚというように高くでき、印写スピードを上げられるというメリットがある（前述の方式では５ｋＨｚ〜１２ｋＨｚ程度が安定駆動できる範囲である）。
【００６６】
以上のような原理、構成のインクジェットヘッドは、イエロー（Ｙ）、マゼンタ（Ｍ）、シアン（Ｃ）の３色ないしは、それにブラック（Ｂ）を加えた４色の印写を行えるように、図６に示すようなキャリッジ７６に搭載され、紙面の前をシリアル連動をしながら記録を行う。
【００６７】
図６において、７３は記録紙、７４はインクジェットヘッドユニットであり（図４に示したヘッドユニットを４色分ならべたものである。ただし、図の形状は一致していない）、７４Ｙ、７４Ｍ、７４Ｃ、７４Ｂはそれぞれ、イエロー（Ｙ）、マゼンタ（Ｍ）、シアン（Ｃ）、ブラック（Ｂ）を印写できるようになっている。７５は各ヘッドのノズル、７６はキャリッジ、７７はキャリッジのガイドロッド、７８はキャリッジを移動させるためのネジ棒、７９は記録紙搬送ローラ、８０は記録紙押えコロである。
【００６８】
以上の説明により、シート状部材に色材を付与する代表例として、電子写真原理、インクジェット原理の出力手段を説明したが、使用する用途に応じて、その出力手段の違うそれぞれのＭＦＰを適宜選べばよい。
例えば、電子写真原理の場合、高速出力を得意とし、その記録速度は１分間にＡ４サイズ用紙で２０枚〜１００枚、あるいはそれ以上という能力をもっている。
一方、インクジェット原理の場合、比較的簡単な構成でカラー出力ができる。しかも電子写真原理の場合のように、感光体ドラムの幅によってある程度出力できる紙のサイズが限定されるが、インクジェット原理の場合は、そのような限定要因はなく、大判の紙（Ａ０〜Ａ２）や、バナー状の長い用紙への出力が可能である。
【００６９】
図７は、このような本発明のシステムの一例であり、紙などの記録媒体に印字を行うプリンタ部の電気信号を処理する部分の構成、光メモリへの情報書き込み部の電気信号を処理する部分の構成、スキャナからの情報取り込み部の電気信号を処理する部分の構成などを詳細に示したものである。
【００７０】
図７において、３０１はＣＰＵで、プリンタの各部の制御を行うためのものである。３０２はＲＡＭであり前記ＣＰＵが演算した結果や、プリンタなどが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。
【００７１】
３０７はプリンタ部で、紙などの記録媒体に画像を形成するための部分である。このプリンタ部３０７は、前記のような電子写真原理（カールソンプロセス）による作像方式以外にインクジェット方式（サーマル、ピエゾ等）などさまざまな形式のプリンタ部が存在する。３０８はプリンタインターフェース部であり、前記プリンタ部とＩ／Ｏバスを接続するためのものであり、ＣＰＵの指示に従って３０２のＲＡＭに格納されている画像データを３０７のプリンタ部へ転送することが可能である。
【００７２】
３０９は光ディスクドライブであり、光ディスク（メモリ）から情報を読み取ったり、光ディスク（メモリ）に情報を書き込んだりするための部分である。３１０は光ディスクドライブインターフェース部であり、前記光ディスクドライブとＩ／Ｏバスを接続するためのものであり、ＣＰＵの指示に従って、前記光ディスクドライブから転送される電子データを、３０２のＲＡＭに転送したり、ＲＡＭから光ディスクドライブへ転送することが可能である。
【００７３】
３１１はスキャナ部で、図示しない原稿台に置かれた原稿から読み取った光学的な信号を、ＣＣＤなどを用いて電子データに変換し、その電子データを転送するための部分である。３１２はスキャナインターフェース部であり、前記スキャナ部とＩ／Ｏバスを接続するためのものであり、ＣＰＵの指示に従って、前記スキャナから転送される原稿を読み取った電子データを、３０２のＲＡＭに転送することが可能である。
【００７４】
３１４はＩＤＥインターフェース、３１３はハードディスクドライブ（ＮＩＣ）であり、画像データのスプールを行ったり、３０１のＣＰＵがさまざまな処理を行うためのプログラムなどを格納させておくためのものである。３１５はネットワークインターフェースコントローラであり、ローカルエリアネットワークへ接続するために使用される。３１６はイメージプロセッシングユニット（以下ＩＰＵ）であり、解像度変換などの画像処理を行うためのものである。
【００７５】
３１７はラスタイメージプロセッサであり、３０１のＣＰＵの指示により、３１５のネットワークインターフェース回路を経由して外部から転送されたページ記述言語の画像データをビットマップ画像へ展開し、３０２のＲＡＭへ展開したビットマップデータを格納するために使用される。３１８はビデオＲＡＭで、ＣＰＵにより外部のＣＲＴやＬＣＤパネルに表示した表示データが書き込まれるものである。３１９はビデオインターフェースであり、ＶＲＡＭに格納されている表示データを外部のＣＲＴやＬＣＤパネルに表示するためのインターフェースをするためのものである。３２０は拡張Ｉ／Ｏインターフェースであり、たとえば、携帯機器などと３０１のＣＰＵが通信などを行うためのインターフェース回路である。通信形態はシリアル通信や、バイセントロインターフェース、またはＢｌｕｅｔｏｏｔｈなどの無線通信などの形式がある。
【００７６】
以上の説明より明らかなように、本発明においては、情報の入力部と処理部と記憶部と出力部とよりなり、これらの各部あるいは各種装置は、無線、有線、光伝送等によってネットワーク接続されて情報のやりとりが行われる。また、それぞれの装置は分散配置することができるが、必要に応じて、各部あるいは各種装置を１箇所に集中、配置して構成してもよい。
【００７７】
ここで補足しておくが、本発明でいう情報の入力部とは、単にスキャナ部のみならずＩ／Ｏインターフェース部、さらには、説明を省略しているがキーボードやタッチパネルあるいはデジタルスチルカメラ、デジタルビデオカメラなどのイメージキャプチャーデバイス等の情報入力手段も含むものである。また、処理部あるいは記憶部に関しても、それの意味するところは、デバイスあるいはデバイスユニットとしてのＣＰＵ、ＲＡＭ、ＲＯＭはいうに及ばず、ネットワークシステムに組み込まれたＰＣ、サーバなども含むものである。出力部も同様に、Ｉ／Ｏインターフェース部、情報表示のディスプレイ、各種プリンタ、ストレージ／メモリ等への情報書き込み装置も含むものである。
【００７８】
前述のように、本発明のシステムは分散あるいは１箇所に集中させて構成できるが、さらに、上記画像形成装置ＭＦＰ（マルチファンクションプリンタ、マルチファンクションペリフェラル）内部に所望の装置やサーバ機能、大容量のメモリを搭載、配置するようにするのも好適な構成である。すなわち、このようなネットワークシステム全体、あるいは、その機能を凝縮した形でＭＦＰという１台のマシン内部に一体的に構成することにより、全ての作業がＭＦＰ１台でできてしまうという画期的な情報入出力装置が実現する。
【００７９】
図８は、その１例であり、紙への出力機能である電子写真原理（カールソンプロセス）のＭＦＰに、光ディスクドライブを組み込んだ構成である。図８中、８５は光ディスクドライブユニット、８６は未使用のメディアストック部である。なお、この例は、紙への出力装置として電子写真原理（カールソンプロセス）を利用したものであるが、前述のインクジェット原理であってもよい。
【００８０】
使用方法は、例えば、マイクロソフト社のＷｏｒｄファイル、ＥＸＣＥＬファイル、ＰｏｗｅｒＰｏｉｎｔファイルなど、あるいは、アドビ社のＰＤＦファイルに変換したものなどのファイルデータをＭＦＰ内部のメモリに保存し、必要に応じて紙出力する。また、そのファイルデータを組み込まれた光ディスクドライブユニット８５を使用し、メディアストック部８６から搬送、設置された未使用のＤＶＤ-Ｒ、あるいはＤＶＤ-ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。
【００８１】
このような本発明のＭＦＰは、前述のように、これ１台で、プリンタ機能、スキャナ機能、ファクシミリ機能、データ保存機能、データ編集機能、メイル配信機能、ネットワークサーバ機能等を持った情報入出力装置であるが、前述のように、このＭＦＰもネットワークインターフェースコントローラ３１５等を介して、ローカルエリアネットワークやインターネットなどの通信網に接続し、ネットワークの１端末という使い方をしてもよい。その場合、スキャナでイメージ情報を取り込み、そのままあるいはＪＰＥＧ等で圧縮して、有線あるいは無線でネットワークに接続されたＰＣにメイル配信するという便利な使い方ができる。
【００８２】
インターネットなどの通信網上には、各種のサーバが接続されており、情報の検索を行う検索サーバ、または電子データなどを蓄積し、ユーザからの要求によって内部に保持している電子データを配信するなどのサービスを行える配信サーバ、さらに携帯電話などの携帯機器に対して各種サービスや、課金の制御を行える携帯機器のためのサービスを行うサーバなどがある。
【００８３】
本発明のＭＦＰは１台の装置の中に各種機能（マルチファンクション）を盛り込んだ情報入出力装置であり、ユーザはこのＭＦＰの前で所定の操作を行い、データ編集したり、プリントアウト、コピーといった一連のＭＦＰの機能動作を行うことができ、さらには、インターネットなどの通信網を介して、各種データを発信できる。
【００８４】
そのデータは、前述のように、スキャナで読み込まれたイメージ情報の他に、デジタルビデオやデジタルカメラ等で取り込まれたビデオデータ（動画データ）、写真データ（静止画）も含まれる。これらのデータも、デジタルビデオやデジタルカメラ等で直接ＭＦＰ内の記憶部（メモリ）に入力、保存されてもよいし、可搬性の記憶メディアを媒体として、ＭＦＰに入力、保存されてもよい。またデータの種類に応じて、適宜、ＪＰＥＧ、ＭＰＥＧ、ＧＩＦＦ、ＴＩＦＦ等の圧縮技術によって圧縮され、保存される。
【００８５】
他に、前述のようなマイクロソフト社のＷｏｒｄファイル、ＥＸＣＥＬファイル、ＰｏｗｅｒＰｏｉｎｔファイルなど、あるいはアドビ社のＰＤＦファイルに変換したものなどのファイルデータもネットワーク配信によってＭＦＰ内部のメモリに保存される。つまり本発明のＭＦＰは、データバンク、データライブラリー的な機能も持つものである。
【００８６】
この場合、本発明のＭＦＰはネットワークセンターマシンとして各種情報処理装置や複数のＰＣに命令を出し、各種情報処理装置や複数のＰＣの保有する各種データ、ファイルなどを吸い上げ、ＭＦＰ内部のメモリに保存される。この作業は、ユーザがこのＭＦＰの前で所定の操作を行うことによっても実行できるし、ネットワーク接続された別のＰＣ等からの操作によってＭＦＰに命令を出して実行する（メモリに保存）こともできる。なお、ＭＦＰへのメモリ保存は可搬性の記憶メディアを媒体として行うこともできることはいうまでもない。
そして、このようにＭＦＰ内に保存された各種データは、ユーザによるＭＦＰ操作によるＭＦＰ自体の命令によって、編集されたり、ネットワーク配信で各種情報処理装置や複数のＰＣに送ることができる。また、一度に複数の各種情報処理装置や複数のＰＣに送ることができる。
【００８７】
一方で、本発明においては、このようなＭＦＰをネットワークセンターマシンあるいはネットワークサーバとして使用する他に、ネットワークの端末としての使用法もある。
そのような場合、本発明のＭＦＰは、今度は、ネットワーク接続された各種情報処理装置やＰＣからの命令、要求を受けて、上記各種データを、編集したり、配信したり、紙メディアに出力（文書出力）したり、後述するような可搬性記憶メディアへの出力（可搬性記憶メディアの作成）を行う等の機能を実行する。この場合も、ネットワーク接続された各種情報処理装置やＰＣからの命令によって、ＭＦＰを介して、複数の他の各種情報処理装置やＰＣへ同時あるいは逐次、データ配信するというネットワークサーバ的な使い方ができる。
【００８８】
本発明のＭＦＰのネットワークの端末としての使用法についてもう少し具体的に説明する。
本発明においては、情報の入力部と処理部と記憶部と出力部とよりなり、それらの間で情報のやりとりを行うとともにこれら各部を１箇所に集中して構成し、また、出力部は異なる複数の手段よりなるように構成され、その１つはシート状部材に色材を付与する手段とし、また、他は後述のような光メモリ、光磁気メモリ、あるいは、半導体不揮発メモリといった可搬性の記憶メディアに所望の情報を書き込む手段であり、原稿をイメージ情報として読み取るスキャナを有し、スキャナで読み取ったイメージ情報を記憶部に保存し、必要に応じて出力部から出力するという各種機能を１台の装置にしてまとめ上げた情報入出力装置（ＭＦＰ）を、ネットワーク上の１端末とし、複数のＰＣ（情報端末機器）その他ネットワークシステム構成上必要な機器とともにネットワーク回線に接続して使用する。
【００８９】
このようなシステムにおいては、接続された１台あるいは複数台のＰＣ（情報端末機器）から、このＭＦＰに情報を送付することができ、その情報を必要に応じてＭＦＰの記憶部に保存することができる。そして、ＰＣ（情報端末機器）側からＭＦＰに保存された各種情報に対してアクセスでき、ＭＦＰに対して、情報の出力命令を出すことができる。この場合、ＰＣ（情報端末機器）には、例えば、ＭＦＰのプリントアウト（紙等への印刷出力）命令を出すためのプリンタドライバーのソフトウェアがインストールされている。あるいは、光メモリ、光磁気メモリ、あるいは、半導体不揮発メモリ等の可搬性の記憶メディアに所望の情報を書き込むという命令を出すことができるソフトウェアがインストールされている。それにより、ＰＣ（情報端末機器）側からのコマンドを出すことによって、ＭＦＰのところまで行くことなく、作業者は自分の机上のＰＣ画面から、可搬性の記憶メディアに情報を出力することができる。つまり、通常ＰＣ（情報端末機器）からプリンタに印刷命令を出して、印刷作業を行うのと、同様の感覚で情報を書き込まれた可搬性の記憶メディアを製作できるのである。
【００９０】
ここで、このような情報を書き込まれた可搬性の記憶メディアを製作する場合の情報とは、例えば、ＭＦＰの記憶部に保存している各種情報である。ＭＦＰをデータストレージ的に使用し、通常、各種情報をその記憶部に入れておけば、ＰＣ（情報端末機器）側に情報を保管しておく必要がなく、ＰＣ（情報端末機器）側のメモリを少なくすることができる。つまり、このようなシステム構成をとることにより、ＰＣ（情報端末機器）側には必要最小限のメモリをもたせるだけですみ、システムの低コスト化が実現する。
【００９１】
本発明の情報システムは、他にもいろいろな使用法が可能である。例えば、可搬性の記憶メディアに出力するというコマンドを出すＰＣ（情報端末機器）とは別のネットワーク上の他のＰＣ（情報端末機器）内にある情報を、ＰＣ（情報端末機器）からのコマンドによって引き出し、ＭＦＰに送付して、可搬性の記憶メディアに出力することも可能である。つまり、本発明の情報入出力装置であるＭＦＰを、ネットワークをコントロールするネットワークサーバ的な機能を有するセンターマシンとしても使用できる。
【００９２】
さらに、ＰＣ（情報端末機器）から所望の情報をＭＦＰに送付し、ＭＦＰの記憶部を介することなく、ＭＦＰの可搬性の記憶メディアへの情報出力機能のみを利用して、可搬性の記憶メディアに出力することも可能である。この場合、ＭＦＰの記憶部を介していないので、ＭＦＰの記憶部に負荷をかけることなく高速で可搬性の記憶メディアにＰＣ（情報端末機器）から送付した情報を出力できる。
【００９３】
このようなＭＦＰの記憶部を介することなく、ＭＦＰの可搬性の記憶メディアへの情報出力機能のみを利用して、可搬性の記憶メディアに出力する利用方法は、上記の可搬性の記憶メディアに出力するというコマンドを出すＰＣ（情報端末機器）とは別のネットワーク上の他のＰＣ（情報端末機器）内にある情報を、ＰＣ（情報端末機器）からのコマンドによって引き出し、ＭＦＰに送付して、可搬性の記憶メディアに出力するという場合にも適用することができる。こうすることにより、ＭＦＰの記憶部の負荷をなくすとともに、可搬性の記憶メディアに高速で前記コマンドによって引き出された情報を出力することができる。
【００９４】
また、本発明の情報システムは、ネットワーク接続されたＰＣ（情報端末機器）からＭＦＰにアクセスし、ＭＦＰ内の記憶部に保管／保存されている各種情報の加工、編集処理を行うことができる。そして、その処理後の情報を、可搬性の記憶メディアに出力することができる。これにより、ＭＦＰから離れた場所からＰＣ（情報端末機器）によってＭＦＰ内にある情報を加工、編集処理して可搬性の記憶メディアに出力できるので、各種情報の加工、編集処理、可搬性の記憶メディアへの出力といった一連の作業が能率よくできる。また、このネットワークは必ずしも有線である必要はなく、無線ＬＡＮによってネットワーク構築もできるので、モバイル環境からこの一連の作業を遂行できる。
【００９５】
さらに、上記ＭＦＰ内の記憶部に保管されている各種情報に限らず、ネットワーク接続された他のＰＣ（情報端末機器）あるいは各種情報処理装置に保管／保存されている情報に対しても、同様にＰＣ（情報端末機器）からアクセスして、同様に、各種情報の加工、編集処理、可搬性の記憶メディアへの出力といった一連の作業を行うことができる。
【００９６】
なお、以上の説明では情報端末機器としてＰＣを主体に説明をしているが、ＰＣに限らず、ＰＤＡのようなモバイル機器、携帯電話等、各種の情報処理装置からも同様に、この作業を行うことができる。
【００９７】
以上、本発明のＭＦＰをスタンドアローンの装置として使用する場合の各種機能、役割の説明ならびにそのＭＦＰを、今度は、ネットワーク回線でＰＣ等の他の情報端末機器と接続して構築したネットワーク情報システムにおける１端末としての説明を行った。
【００９８】
次に、上記の後者（ネットワーク情報システムにおける１端末としてＭＦＰを位置付けた場合）の変形例としてＭＦＰではなく単純な、カールソンプロセス原理を利用したいわゆるレーザプリンタやインクジェットプリンタをシート状部材に色材を付与する出力装置として位置付けたネットワーク情報システムの例を説明する。
【００９９】
すなわち、可搬性の記憶メディアに所望の情報を書き込む出力装置の代表例として、例えば、光ディスクドライブユニット等を採用し、上記出力装置（レーザプリンタやインクジェットプリンタ等）、複数のＰＣ（情報端末機器）、サーバ等を組み合わせた情報システムである。なお、可搬性の記憶メディアは、後述のように、他の可搬性の記憶メディア／メモリおよびそのドライブあるいはそれへの情報書き込み／読み取り手段であってもよい。
【０１００】
本発明において、このような情報システムは、可搬性の記憶メディアに所望の情報を書き込むシステムとして位置付けて考えることができる。そのような所望の情報を書き込まれた可搬性の記憶メディアは、例えば、ＰＣ（情報端末機器）操作者から作製（＝情報書き込み前の可搬性の記憶メディアに情報を書き込むこと、あるいは、書き込み後の情報を書き換えること）を要求されるというものであり、情報書き込み前の可搬性の記憶メディアは、ちょうど、プリンタなどで使用される紙と同様な消耗品として位置付けられる。
【０１０１】
そこで、本発明の情報システムにおいては、このような情報書き込み前の可搬性の記憶メディアは、その可搬性の記憶メディアに所望の情報を書き込む出力装置（光ディスクドライブユニット等）に複数個ストックしておき、必要なときに、いつでも即、情報書き込みができるような環境を準備しておくことが重要である。つまり、その情報書き込み前の可搬性の記憶メディアがなくて、所望の作業ができないといった不具合など、あってはならないことである。また、その作業を行うたびに操作者が情報書き込み前の可搬性の記憶メディアを１つずつセットするというような煩雑さ、能率の悪さも回避されなければならない。
【０１０２】
本発明では、それを解消するために、例えば、書き込み前のＣＤ−Ｒ等の光ディスクを複数個そのドライブ装置にストックしておくようにしている。従来、パーソナルユースにおいては、このようなＣＤ−Ｒ等に書き込みを行う場合には使用者が１枚ずつドライブにＣＤ−Ｒをセットしているが、本発明のような情報システムで、複数のＰＣ（情報端末機器）操作者がこのような書き込みを行うといった、ＣＤ−Ｒ等の可搬性の記憶メディアが大量に使用されるいわゆるオフィスユースの場面においては、ドライブ装置が多少大きくなっても、このような書き込み前のＣＤ−Ｒ等の光ディスクを複数個ストックしておくことは必須である。
【０１０３】
後で、図９〜図１２を用いて、可搬性の記憶メディア、ストレージの代表例として、光ディスクメディアの例をあげて説明するが、そこでは、図を単純化するために、数枚ストックした例を示した。しかしながら、実際には、数１０枚〜数１００枚といった数量でストックするようにしている。
【０１０４】
また、後述するが、可搬性の記憶メディアに所望の情報を書き込む出力装置は、ＣＤ−Ｒおよびそのドライブに限定されるものではなく、他の可搬性の記憶メディア、ストレージおよびそれらに情報を書き込む書き込み装置（ライター）、読み取り装置（リーダー）であってもよく、また、それらを複数種類、本発明の情報システムに組み込むことが望ましい。つまり、不特定多数の操作者が使用するので、ある１つの出力装置のみにしておくと、多くの操作者の要望に応えられないので、上記光ディスクメディアに限らず、光磁気メモリ、半導体メモリ等複数種類の可搬性の記憶メディア、ストレージおよびそれらに情報を書き込むための書き込み装置（出力装置）を、ネットワーク情報システムに組み込んでおくと利便性が高い。
【０１０５】
さらに、本発明の情報システムは、主としてオフィスで使用されるので、その高い生産性が要求される。よって、上記のような可搬性の記憶メディア、ストレージに情報を書き込むための書き込み装置（出力装置）を、複数台ネットワーク情報システムに組み込んでおくことにより、生産性の向上を図ることができる。
【０１０６】
１人の操作者が同一の出力装置を複数台フル稼働させて、大量の（情報書き込みされた）可搬性の記憶メディアを生産するという場面もあるし、また、複数の操作者が同一種類の出力装置への書き込み作業を行う場合に、複数台の出力装置が準備されているので、適宜割り当てられて使用するという場面もある。
【０１０７】
なお、このように複数種類の出力装置、複数個の出力装置は、ネットワーク回線にそれぞれ独立に接続されているが、他の例として、ネットワークへの接続は１台の出力装置として接続され、その出力装置の内部で、複数種類の書き込み手段（出力手段）、複数個の書き込み手段（出力手段）を有するようにしてもよい。その場合、出力装置としては、１台なので、消耗品としての情報書き込み前の可搬性の記憶メディアの補給手段を共有化できるというメリットがある。
【０１０８】
また、本発明の消耗品としての情報書き込み前の可搬性の記憶メディアは、後述するように、各種フォーマット化済みのものと、未フォーマットのものがあり、それぞれ必要に応じて、準備ストックされる。すなわち、生産性を重視して、同一フォーマットのもので、速く大量に生産したい場合にはあらかじめフォーマット化済みのものを使用し、１つずつフォーマット化を行うための時間を節約する。それとは別に、操作者の要望によって、それぞれ所望のフォーマットで出力したいような場合もあるので、未フォーマットのものも準備ストックしておく。いうまでもないが、未フォーマットのものは、フォーマット化されていない分、値段がやすく、ランニングコストを低く抑えることができる。本発明では、これらをそれぞれ複数個ストック、供給するようにし、操作者の要求に応じて使い分けるようにしている。また、本発明の消耗品としての情報書き込み前の可搬性の記憶メディアは、前述のように複数種類の出力手段に対応して、複数種類、かつ複数個ストック、準備される。
【０１０９】
次に、これも詳細は後述するが、本発明の情報書き込み後の可搬性の記憶メディアは、携帯時に起きる不慮の事故で破損したりしないように、収納部材に収納される。そして、本発明ではその収納部材も、同様にこの出力装置に複数個ストックするようにしている。
【０１１０】
さらに、本発明に適用される可搬性の記憶メディアやその収納部材は、これも後述するが、前述のような、インクジェット原理の出力手段を利用して、表面に必要な情報（例えば、記憶メディア内部の情報を識別するような情報等）や、デザイン的な情報を印写するようにしている。これはインクジェット原理が非接触記録という特性をもっているので、シート状部材への色材付与以外にも、本発明のような可搬性の記憶メディアといったある程度３次元的な構造物にも比較的簡単に印写できるという特性を利用したものである。
【０１１１】
次に、本発明に適用される可搬性の記憶メディア、ストレージの代表例として、光ディスクメディアの例をあげてより詳しく説明する。いうまでもないが、本発明の可搬性の記憶メディア、ストレージはこの例に限定されるものではない。
【０１１２】
図９〜図１２は、本発明の光ディスクドライブユニットに情報を書き込まれる前の光ディスクメディアを供給、搬送する手段を説明する図である。
本発明においては、情報を書き込まれる前の光ディスクメディアは複数枚ストックされており、必要に応じて１枚ずつ光ディスクドライブユニットに運ばれ、情報書込みが行われる。
【０１１３】
図９は、本発明の光ディスクメディアを複数枚（この例では７枚）ストックされたマガジン１００を示しており、このマガジン１００は、マガジン表面に表示された三角形の方向表示印１０１を矢印Ａの方向に向けて、図１０に示すように、光ディスクドライブユニット１０９に矢印Ａの方向に挿入される。
【０１１４】
図１１は、挿入された後の光ディスクメディア１０３を光ディスクドライブユニット１０９の書き込み部１１０に搬送する動作を説明するための図であり、搬送トレイ１０２に搭載された光ディスクメディア１０３は、搬送トレイ１０２に設けられたフック溝１０４に２つのフック１０６を引っ掛け、矢印Ｃ方向に動作するフック１０６によって引き出される。
【０１１５】
図１２は、搬送トレイ１０２に搭載された光ディスクメディア１０３が引き出されたときの状態を示す断面図である。
その後、光ディスクメディア１０３は、書き込み部１１０において、書き込み部１１０の上下動作を利用して穴１０５に回転軸１０７が勘合され、搬送トレイ１０２はマガジン１００に戻される。１１１は、光ディスクメディア１０３が回転軸１０７に勘合されても搬送トレイ１０２をマガジン１００に戻すことができるようにするための搬送トレイ１０２に設けられた切り欠き部である。
【０１１６】
回転軸１０７に穴１０５を勘合した後、光ディスクメディア１０３はその記録層にピックアップ１０８から発せられるレーザ光によって情報書き込みを行う。ピックアップ１０８によって情報が書き込まれた後、前述の搬送動作で説明した手段と同等の図示しない手段によって、搬送動作と逆の動作によって図１０の矢印Ｂの方向に搬送、排出されて作業が終了する。
【０１１７】
以上に、本発明の光ディスクドライブユニットに情報を書き込むための光ディスクメディアを供給、搬送する手段の１例を示したが、本発明の光ディスクメディアは必ずしもこのような、円盤型（外径１２０ｍｍ、厚さ１.２ｍｍ、穴径１５ｍｍ、記憶容量ＣＤフォーマットで６５０ＭＢもしくは７００ＭＢ）に限られるものではない。同じ円盤型であっても、外径８０ｍｍで記憶容量がＣＤフォーマットで１８５ＭＢのものや、矩形形状（カード型）で名刺サイズの５８ｍｍ×８６ｍｍ×１ｍｍで記憶容量がＣＤフォーマットで１８ＭＢ〜５０ＭＢのもの、さらには、星型、卵型、その他任意の形状の外形形状、寸法の光ディスクメディアが適用される。
【０１１８】
また、その記憶容量も、７８０ｎｍのレーザ波長を用いるＣＤフォーマットで２０ＭＢ〜７００ＭＢ、６３５ｎｍ／６５０ｎｍのレーザ波長を用いるＤＶＤフォーマットで４.７ＧＢ〜１７ＧＢ、さらには、４０５ｎｍ波長の青色レーザを使用するＢｌｕ−ｒａｙ  Ｄｉｓｃ（あるいはＨＤ  ＤＶＤ）等のフォーマットで、２３.３ＧＢ〜２７ＧＢ（ＨＤ  ＤＶＤは片面１５ＧＢ、両面３０ＧＢ）といったものまでその用途に応じて選択、使用すればよい。
【０１１９】
なお、記録密度、容量の他に、原理的な違いで見ると、データ記録層に感光性の有機色素（シアニン系、フタロシアニン系、アゾ系、スクアリリウム系等）を使用し、この色素に読み取り用よりも強いレーザ光を当て、色素に半永久的な反射率の変化を起こさせ、この変化を記録データとする１回だけ書き込み可能なＲ（Ｒｅｃｏｒｄａｂｌｅ）メディアと呼ばれるものがある。
【０１２０】
記録フォーマット、容量の違いにより、ＣＤ−Ｒ、ＤＶＤ−Ｒ、ＤＶＤ＋Ｒ等がある。色素の反射率変化は半永久的で、非可逆性の反応であるため、１回の書き込みしかできないが、有機色素を使用し、室内でスピンコーティング等によって記録層を形成できるため、量産性に優れ、後述の書き換え可能なメディアに比べて生産コストが安いというメリットがある。またアーカイブ的な使用に好適なメディアであり、記録データの修正の必要がない場合、あるいは改ざんされると困る場合に、大変好都合に使用されるメディアである。
【０１２１】
また、メディア１枚あたりの値段が安いため、本発明のように紙文書を出力すると同時に、そのデータ（ファイル等）を電子データとしてこのＲメディアに書き込んで、大勢の人に配布したりするという使用法に大変都合がよい。
【０１２２】
さらに、他の光メモリメディアとしては、データ記録層に結晶とアモルファスの相変化が可能な材料を利用するＲＷ（ＲｅＷｒｉｔａｂｌｅ）メディアと呼ばれるものがある。このような材料としては、例えば、Ａｇ−Ｉｎ−Ｓｂ−Ｔｅ（銀-インジウム-アンチモン-テルル）の四元素の合金がある。
【０１２３】
結晶相を一気に融点にまで昇温し、不規則な原子の状態をつくり出す。これがアモルファス状態で、つぎに、この状態を急速に冷却すると、原子はばらばらな状態でフリーズされ、温度が下がってもアモルファス相が形成されている。
【０１２４】
一方、融点には至らない、やや中間的なレベルにまで昇温しておいて比較的ゆっくり冷えるように温度管理をしてやると、今度は原子が元の状態に組み替わることができ、結晶相が形成される。データを消去する場合には、このようにして結晶相に変化させる。
【０１２５】
アモルファスとは、原子の配列が乱雑な状態で、結晶と比べて反射率が低くなる。この変化をピットとランドとしている。ＲＷメディアには、この２つの温度を再現できるように、出力の異なったレーザが備えつけられている。
この結晶とアモルファスの相変化は、可逆的に反応させることができるので、前述のＲメディアとは異なり、再書き込みができるという特徴がある。
このメディアの場合も、記録フォーマット、容量の違いにより、ＣＤ−ＲＷ、ＤＶＤ−ＲＷ、ＤＶＤ＋ＲＷ等がある。
【０１２６】
なお、前述の青色レーザを使用するさらには４０５ｎｍ波長の青色レーザを使用するＢｌｕ−ｒａｙ  Ｄｉｓｃ、あるいはＨＤ  ＤＶＤ等も、同様に、非可逆性の反応あるいは可逆性の反応を利用した材料を使用し、Ｒメディア、ＲＷメディアが実現でき、本発明に好適に使用できる。
【０１２７】
ところで、このような光メモリは、図９等に示したように、ある数量の光ディスクメディアを収納したマガジン単位で供給されるが、高速書き込みを必要とするような場合には、このマガジンにストックされている光ディスクメディアをあらかじめ、フォーマット化したメディアとするのがよい。
【０１２８】
例えば、ＣＤの例で説明するならば、Ｗｉｎｄｏｗｓ（登録商標）でＣＤ−Ｒに書き込みを行う場合、各種のＯＳ別論理フォーマット（Ｒｏｍｅｏ、Ｊｏｌｉｅｔ、ＲｏｃｋＲｉｄｇｅ、ＩＳＯ９６６０など）がある。本発明のＭＦＰにおいては、毎回、データ書き込みを行うたびに、光ディスクメディアをフォーマット化するのではなく、例えば、たいていのＯＳで読めるようなＩＳＯ９６６０レベル１にあらかじめフォーマット化してある光ディスクメディアをマガジンに収納しておく。それにより、使用時にフォーマット書き込みに要する時間が不要となり、データ書き込みがすぐに行え、情報が書き込まれた光ディスクメディアの作成時間を短縮することができる。
【０１２９】
通常、最もよく使用するフォーマットはあらかじめフォーマット化した光ディスクメディアが即使えるような状態にして供給する（フォーマット化した光ディスクメディアをドライブのピックアップ部分に設置する）ようにしておけばよいが、場合によっては、そのフォーマットとは違うフォーマットで書き込みたい場合も出てくる。そのような点を考慮し、光ディスクメディアの供給手段を２系統にしておくのもよい方法である。
【０１３０】
例えば、通常、最もよく使用するフォーマットは、フォーマット済みで供給し、他のフォーマットで書き込みたい場合を想定した未フォーマットのものを準備しておき、それは光ディスク作成に多少時間が余計にかかっても、フォーマット化ならびにデータ書き込みを本発明のＭＦＰ（内の書き込みドライブ）で行うという使い方である。
【０１３１】
フォーマット化済みあるいは未フォーマットの光ディスクメディアは、それぞれ、図９に示すように、複数枚ずつマガジンに収納して供給すればよい。そして、例えば、通常はＩＳＯ９６６０レベル１にあらかじめフォーマット化してある光ディスクメディアを使用するようなモードにＭＦＰを設定しておき、特別に別のフォーマットで記録したいような場合においては、未フォーマットの光ディスクメディアを選択し、その場合は、フォーマット化を行ってから記録するという使い方をするのである。
【０１３２】
あるいは、通常、最もよく使用するフォーマットのもののみ、このような複数枚ずつマガジンに収納して供給し、たまにしか使用しないような特殊フォーマットで書き込むような場合は、頻度が少ないので１枚ずつ手差し供給するようにしてもよい。
【０１３３】
以上、本発明の可搬性の記憶メディア、ストレージとして純粋な光メモリを中心に説明をしたが、他の可搬性の記憶メディアとして本発明に好適に使用できるものとして、ＭＯとして知られる光磁気ディスク（Ｍａｇｎｅｔｏ  Ｏｐｔｉｃａｌ  Ｄｉｓｋ）、光磁気メモリがある。容量は、１２８ＭＢ、２３０ＭＢ、６４０ＭＢ等あり、使用用途によって適宜選ばれる。
【０１３４】
動作原理は、磁性体でできたディスクの記録層（磁性体の材料として、各種磁性ガーネットやマンガン・ビスマス合金、バリウム系フェライトなどを使用）にレーザ光を照射して加熱し、約２００度に温度が上がったところで、磁界をかけて磁性体の向きを変えて書き込み（記録）を行い、データを読み出す際には、書き込み時よりも低出カのレーザ光を照射し、その反射光の違いを検知することによってデータを読み出すというものである。
【０１３５】
ＭＯは、磁気の影響を受けない、ヘッドクラッシュがないなどの理由から、信頼性が高く、前述の光メモリ同様、本発明の情報入出力装置に組み込まれる可搬性の記憶メディアとして大変好適なメディアである。
【０１３６】
次に、本発明の可搬性の記憶メディアとして好適に使用される他の記憶メディアとしては、半導体フラッシュメモリがある。通常、ＤＲＡＭなどは、電源を切るとデータが失われてしまい、本発明の可搬性の記憶メディアとしては不適であるが、フラッシュメモリは不揮発性でありそのようなことがない。ＵＳＢフラッシュメモリ、スマートメディア、コンパクトフラッシュ（登録商標）、メモリスティック等、カード型やスティック型などの形状、サイズ、容量等いろいろあるが、いずれも持ち運びに便利なものである。
【０１３７】
なお、他に同様に不揮発性メモリとして、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）として知られる半導体メモリがあり、これも本発明の可搬性の記憶メディアとしては好適に使用できる。
【０１３８】
いずれも、電源を切ってもデータが消えることなく保存され、さらに、前述の光メモリとは異なり、動作時に機械的な可動部分がなく、全て電気的制御で使用でき、高速応答ならびに信頼性が高い、大変使用しやすいものである。
以上、本発明に適用される各種可搬性の記憶メディア、ストレージの代表例を説明したが、本発明はここにあげた例に限定されるものではない。
【０１３９】
本発明のポイントは、情報の出力、記憶（記録）という場面において、紙メディアと可搬性の電子情報記憶／記録メディアとの融合を目指し、それらが互いに関連付けられるとともに、その機能を果たす１台の装置（あるいは一箇所にシステム構成された装置）としてまとめあげられ、紙メディアへの情報出力（プリントアウト）がなされると同時、もしくは必要に応じて、該情報を可搬性の電子情報記憶／記録メディアへ記録し、それらを１台の装置（もしくは一箇所にシステム構成された装置）で受け取ることができるというものである。つまり、紙のプリントアウト書類と記憶メディア、ストレージを１台の装置から、もしくは（分散配置された別々の装置からはなく）一箇所で受け取ることができるというものである。
【０１４０】
また、記憶メディア、ストレージを複数個ストックしたマガジンを装置本体に着脱可能に設置し、必要に応じて、記憶メディア、ストレージをドライブ部分（情報書き込み部分、ピックアップ部分）に搬送し、情報書き込みを行う例として、光ディスクの例をあげて説明したが、本発明は、光ディスクだけに限定されるものではなく、他の記憶メディア、ストレージであっても、そのマガジンの形態、搬送の形態、情報の書き込み（記憶）／読み取り手段の形態は少しずつ異なるが、考え方は同じであって、同様に適用されるものである。さらに、フォーマット済みあるいは未フォーマットのそれぞれの記憶メディア、ストレージについても、その供給の仕方（それぞれ複数ずつストックしておき、必要に応じて選択できるという使用法）は、前述の光ディスクメディアのみに限定されるのではなく、他の可搬性の記憶メディア、ストレージにも同様に適用される。
【０１４１】
次に、本発明の他の特徴について説明する。本発明では、前述のように、可搬性の記憶メディア、ストレージに紙メディアに出力したデータを記憶、記録するものであるが、このような記憶、記録された記憶メディア、ストレージ、すなわち、情報書き込み後の記憶メディア、ストレージは、その可搬性を利用して物理的に持ち運びがなされる。
【０１４２】
このような情報を電子データとしてネットワーク回線を利用して送受信することもできるが、場合によっては、本発明のように持ち運びしたほうがよい場合もある。あるいは、そうせざるを得ない場合もある。そこで、本発明のような可搬性の記憶メディア、ストレージが利用されるわけであるが、このような記憶メディア、ストレージそのものの持ち運びを行う場合、どうしても、汚染、あるいは、破損によって、情報の読み取りが不可能になったり、その後のデータの追記、あるいは、編集が不可能になったりするという事故が起こる。よって、本発明では、このような可搬性の記憶メディア、ストレージを収納する部材に入れて利用するようにしている。
【０１４３】
図１３は、本発明の１構成例であり、紙のようなシート状のものへの出力装置として電子写真原理（カールソンプロセス）を使用したＭＦＰの例である。前述のように、インクジェット原理のＭＦＰであってもよいことはいうまでもない。可搬性の記憶メディア、ストレージとして、ここでは光ディスクとしている。図１３において、８５は光ディスクドライブユニット、８６は未使用のメディアストック部、８７は収納部材ストック部である。
【０１４４】
使用方法は、図８で説明したように、例えば、マイクロソフト社のＷｏｒｄファイル、ＥＸＣＥＬファイル、ＰｏｗｅｒＰｏｉｎｔファイルなど、あるいは、アドビ社のＰＤＦファイルに変換したものなどのファイルデータをＭＦＰ内部のメモリに保存し、必要に応じて紙出力する。またそのファイルデータを組み込まれた光ディスクドライブユニット８５を使用し、メディアストック部８６から搬送、設置された未使用のＤＶＤ-Ｒ、あるいはＤＶＤ-ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。光ディスクへの書き込みが終了後、収納部材ストック部に収納された収納部材８８に、光ディスクメディア１０３を収納し、持ち運びに安全な状態となる。
【０１４５】
図１４〜図２１に、収納部材８８に光ディスクメディア１０３を収納する例を示す。図中、８８は収納部材であり、プラスチック、ビニールシート、紙等からなる。８９は収納部であり、この部分に、光ディスクメディア１０３が収納される。９０は収納部材８８に必要に応じて設けられるふた部である。
【０１４６】
図１４〜図１８は、外径１２０ｍｍの円盤型の光ディスクメディア１０３を収納する例であり、図１４は、プラスチックケースに収納する例である。収納部８９の中央部には、光ディスクメディア１０３にあけられた穴径１５ｍｍの穴に勘合するような外径１５ｍｍの突起部（高さ１〜２ｍｍ）が設けられ、光ディスクメディア１０３の穴部と勘合する。ふた部９０は開閉自在となっている。
【０１４７】
図１５は、紙でできた封筒状の収納部材８８であり、収納部８９に光ディスクメディア１０３が収められた後、ふた部９０を曲げて蓋をし、ゴミなどが入らないようにする。
【０１４８】
図１６、図１７も形状は図１５とやや異なるが、収納構造は同じである。紙もしくはビニールよりなる収納部材８８に光ディスクメディア１０３を収納後（図１６（ａ），図１７）、ふた部９０を折り曲げてふたをする（図１６（ｂ））。
【０１４９】
図１８も、封筒状になっているが、中央に光ディスクメディア１０３の外形より小さい穴を有しており、取り出し易いようにしたものである。
【０１５０】
図１９〜図２１は、円盤の両側を切り落とした長円形に似た擬似カード型の光ディスクメディア１０３を収納する例である。収納原理は、前述の円盤型のものと同等であり、封筒状の収納部材８８よりなり、必要に応じてふた部９０を有する。なお、図２０（ａ）はふた部９０を開いた状態を示し、図２０（ｂ）はふた部９０を半閉じにした状態を示す。
【０１５１】
以上、本発明の光ディスクメディア１０３の収納例をいくつか説明したが、本発明では図１３に示すように、このような光ディスクメディア１０３を収納するための収納部材８８を収納部材ストック部８７に常時複数個ストックしている。そして、必要に応じて、ここから収納部材８８を取り出し、書き込み後の光ディスクメディア１０３を収納部材８８に収納して、安全に持ち運びできるようにしている。
【０１５２】
なお、この収納部材ストック部８７から収納部材８８を取り出し、書き込み後の光ディスクメディア１０３を収納する際、１つとか２つといった数であれば人が行ってもよいが、より多くの書き込み後の光ディスクメディア１０３を収納する場合においては、自動化すべきである。
本発明では、この点に鑑み、所望の情報を書き込まれた可搬性の記憶メディアをパッケージングする機能もＭＦＰの機能として有している。
【０１５３】
図２２は、可搬性の記憶メディア２０５（カード型の光ディスクメディアやカード型の半導体不揮発メモリなど）の収納（パッケージング）プロセスを示す概念図である。
所望の情報を書き込まれた可搬性の記憶メディア２０５は（図２２（ａ））、収納部材２０７によって挟み込まれる。この収納部材２０７は、厚紙や樹脂シートなどが長方形に裁断され部分的に切欠が形成された基材２０８（図２２（ｂ））を２０７ａ〜２０７ｄの仮折り部で仮折りして形成される（図２２（ｃ））。
【０１５４】
収納部材２０７は、面積の大きな下保護面２０７ｅが可搬性の記憶メディア２０５上に重ねられ（図２２（ｄ））、可搬性の記憶メディア２０５と収納部材２０７とが一緒に反転される（図２２（ｅ））。そして、収納部材２０７の他方の上保護面２０７ｆが可搬性の記憶メディア２０５上に重ねられるように仮折り部分に沿って折り畳まれ、２つのフラップ２０７ｇ、２０７ｈが可搬性の記憶メディア２０５の側面を保護するように折り畳まれ、パッケージング終了後の可搬性の記憶メディア２１０ができあがる（図２２（ｆ））。
【０１５５】
以上は、本発明のＭＦＰの機能として設けられた、可搬性の記憶メディアの収納（パッケージング）プロセスであるが、以下に、このようなプロセスを行うための機構の１例を図２３によって説明する。
【０１５６】
図２３は、本発明のＭＦＰに設けられた可搬性の記憶メディアの収納プロセスを説明するための図で、所望の情報を書き込まれた可搬性の記憶メディア２０５は、搬送されて集積台２６９に載置される。パッケージング機構２５３は、集積台２６９から可搬性の記憶メディア２０５を取り出すロボットアームユニット２７３と、収納部材２０７を保持する収納部材ハンドリングユニット２７４と、収納部材２０７の仮折りを行う仮折りユニット２７５と、可搬性の記憶メディア２０５を挟むように収納部材２０７を折り込む折り込みユニット２７６とから構成されている。
【０１５７】
ロボットアームユニット２７３と収納部材ハンドリングユニット２７４は、多関節のアームを備えた汎用の多軸ロボット機構である。ロボットアームユニット２７３のアームの先端には、可搬性の記憶メディア２０５と収納部材２０７とを挟み込むロボットハンド２７３ａが設けられている。収納部材ハンドリングユニット２７４のアームの先端には、収納部材２０７を吸着保持する吸着パッド２７４ａが設けられている。
【０１５８】
ロボットアームユニット２７３と収納部材ハンドリングユニット２７４とは、収納部材２０７の下保護面２０７ｅの上に、搬送されてきた可搬性の記憶メディア２０５を重ね、折り込みユニット２７６に移載する。
【０１５９】
仮折りユニット２７５は、固定治具２７８と、この固定治具２７８の端面に重なるように下降する可動治具２７９と、詳しくは図示しないが、可動治具２７９を上下動させる移動機構とからなり、収納部材２０７を仮折り部２０７ａ〜２０７ｄで仮折りする。
【０１６０】
折り込みユニット２７６は、収納部材２０７に可搬性の記憶メディア２０５が重ねられた状態で載置される箱形状の基台２８２と、収納部材２０７の上保護面２０７ｆを可搬性の記憶メディア２０５の上に折り込む折込みアーム部２８３と、アーム部２８３を回動させる回動機構とからなる。ここで収納部材２０７の上保護面２０７ｆが可搬性の記憶メディア２０５上に重ねられるように仮折り部分に沿って折り畳まれ、２つのフラップ２０７ｇ、２０７ｈが可搬性の記憶メディア２０５の側面を保護するように折り畳まれ、パッケージング終了後の可搬性の記憶メディア２１０となる。
【０１６１】
なお、この収納部材２０７は、ここでは紙パッケージングの例で説明しているので、多数（複数）の基材２０８として準備されているが、あらかじめ最終的な収納部材としての形態で、多数（複数）個準備（ストック）しておいてもよい。特に、図１４で示したようなプラスチックケースの場合は、複数個の完成したケースとしてストックしている。
【０１６２】
次に、本発明の他の特徴について説明する。本発明では、前述のように、可搬性の記憶メディア、ストレージに紙メディアに出力したデータを記憶、記録するものであるが、このような記憶メディア、ストレージは、外部から見た場合には、何が記憶されているかわからない。よって、少なくとも出力された紙メディア（プリントアウト文書）と対応付けができる程度の簡単な情報を付与し、それが外部から見られる（記憶メディア、ストレージをドライブ装置等にかけて内部の情報を読み取るのではなく、そのものを見て目視確認できる）ようにしておく必要がある。
【０１６３】
本発明では、この点に鑑み、記憶メディア、ストレージの収納部材の表面に目視情報を記録するようにしている。具体的には、紙メディアに色材を付与する手段であるインクジェット原理による出力手段を利用している。
【０１６４】
インクジェット原理による記録は、非接触記録、直接記録であり、被記録体が紙のようなものに限定されることなく、立体的なものにでも記録できる。よって、本発明で使用する各種記憶メディア、ストレージの収納部材は、記憶メディア、ストレージの形状によってその収納部材の形状もさまざまなものとなるが、上記説明より明らかなように、インクジェット原理で非接触記録、直接記録を行えば、その表面に容易に情報を出力（記録）できる。
【０１６５】
具体的には、収納後の各種記憶メディア、ストレージを、それぞれに適した搬送手段でインクジェット記録ヘッド部分（インクジェット出力を行う部分）に搬送することによって、所望の情報を収納部材表面に書き込むことができる。その際、より好ましくは、収納部材の表面にインクが付着しやすくなるように、あるいは、にじんだりしない良好な画素が得られるように、インクが付着する表面にインク受容層を形成したほうがよい。
【０１６６】
例えば、ポリカーボネート樹脂等よりなる光ディスクのケース表面にインクジェット記録を行っても、インクの密着力があまりないため、手で触っただけで記録情報が消えてしまうということがよくある。あるいは、収納部材として紙パッケージを使用する場合にも紙材質によっては、にじみが生じて良好なインクの画素が形成できない場合がある。
【０１６７】
そのようなことを回避するために、インク受容層をポリカーボネート樹脂表面や、あるいは、パッケージ用の紙表面に形成しておくわけである。具体的には、炭酸カルシウム（ＣａＣＯ３）等の微粉末層をバインダー樹脂とともにインク受容層として形成する。
【０１６８】
他の例として、このように収納部材に直接記録するのではなく、表面に紙ラベルのようなものを設けて、その上に記録を行うようにしてもよい。この場合、記録済みの紙ラベルを別途用意して収納部材表面に貼り付けてもよいし、紙ラベルを貼った収納部材を、適宜インクジェット記録部に搬送して、その紙ラベル面に記録してもよい。なお、このラベルは紙に限定されるものではなく、樹脂フィルムであってもよいが、その場合は、以下に述べるように、収納部材表面の材質に準じたインクを選ぶようにする。表面に前述のようなインク受容層を設けたようなラベルであれば、樹脂フィルムラベルであっても紙に準じた扱いができる。
【０１６９】
一般に、インクジェット原理で紙メディアに記録する場合、インクとしては水を溶媒の主成分とした水性系インクが使用されるが、例えば、ポリカーボネート等のプラスチックに直接記録を行うような場合は、通常の紙の繊維の中にインクがしみこんでいくわけではなく、乾燥に時間がかかるため、溶剤系インク、油性インクを使用するほうがよい。あるいはＵＶ硬化型インクを使用するほうがよい。ただし、これも、インク受容層の有無、ケース表面に直接記録を行う／ラベルに記録を行う、ラベルの材質（紙／樹脂フィルム）、使用するインクジェット原理（サーマルインクジェット方式／ピエゾを利用したオンデマンド方式）によって適宜最適なインクあるいはそれに使用するインクジェット原理を選ぶようにする。
【０１７０】
図２４は、本発明の他の構成例であり、これは収納部材にインクジェット原理で情報を書き込むための専用のインクジェット記録部９６を有するＭＦＰである。９５は給紙カセットであるが、ここには、専用のラベル、あるいは、可搬性の記憶メディアの収納部材を複数個ストックしている。９７はインクジェット記録排紙トレイであり、記録されたラベルあるいは、収納部材の排出部である。なお、収納部材は、可搬性の記憶メディアを収納する前のもの、収納後のもの（可搬性の記憶メディアを内臓したもの）ともに良好に使用されるが、収納後のものに記録を行うことを考えた場合、収納後の収納部材は、ふくらみを持ったりして、紙のようにシート状になっていない。よって、紙メディアに出力するインクジェット記録部を流用する場合に、その搬送が難しい場合もある。
【０１７１】
しかしながら、この例のように、収納部材にインクジェット原理で記録を行う専用のインクジェット記録部９６を有するような構成にすると、紙メディアと収納部材の混合搬送という複雑な機構を回避できるのでジャムなどのトラブルが発生しにくくなって有利である。
【０１７２】
次に、本発明のさらに他の特徴について説明する。本発明は上記説明のようにカールソンプロセス原理、あるいは、インクジェット原理によって、紙メディアに出力（プリントアウト）し、可搬性の記憶メディアにも情報を書き込み、収納部材に収納して持ち運びができるようにしたものである。
【０１７３】
それに加えて、本発明では、紙メディアに出力されたいわゆる紙文書、あるいは、ＯＨＰシートのようなシート状部材等と収納部材に収納された可搬性の記憶メディアを一体的にする機能も本発明のＭＦＰに持たせている。図２５はその例である。
【０１７４】
図２５において、所望の情報を書き込まれ、紙あるいはビニール袋等の収納部材に入れられたパッケージング終了後の可搬性の記憶メディア２１０（図２５（ａ））は、ステイプラー２１２によって紙文書２１１と一体的にされる（図２５（ｂ））。この場合も、１つの文書および１つの記憶メディアを一体化させるだけであれば、手作業で人が行ってもよいが、より多くの文書および記憶メディアを一体化させる場合においては、本発明のように、ＭＦＰに一体化させる機能を持たせるべきである。本発明では、これを実現するために、ステイプル（止め）機能ならびにその消耗品としてのステイプラー（針）を複数個ストックしている。
【０１７５】
詳細な説明は省略するが、このステイプル（止め）動作は、複数枚の文書を綴じる本発明のＭＦＰの機能を流用して行うことができる。すなわち、出力後の紙文書をページをそろえたりするソーター（図示せず）によって仕分けする紙搬送、排出経路に収納部材に入れられたパッケージング終了後の可搬性の記憶メディアを流し、紙文書を綴じるのと同じ要領で文書と収納部材に収納された記憶メディアを綴じればよい。
【０１７６】
なお、以上の説明は、紙文書とパッケージング終了後の可搬性の記憶メディアの収納部材をステイプラーで綴じる（ホッチキスで綴じる）例であるが、本発明は、これに限定されるものではなく、両者を一体化させるために、例えば、両面テープを利用したり、のりのようなものを利用してもよい。いずれにしろ、このような一体化のための部材（ステイプラー、両面テープ、のり等）は消耗品として、常時、本発明のＭＦＰ内に収容している。また、紙文書のみならず、本発明のＭＦＰ（カールソンプロセス原理、あるいは、インクジェット原理によるプリントアウト装置）によって、出力（プリントアウト）されるシート状出力物（シート状文書やシート状のイメージプリントアウト物）すべてに適用されるものである。
【０１７７】
次に、本発明のさらに他の特徴について説明する。本発明の情報入出力装置は紙を扱うため、その紙粉やトナー、インクなどが常時装置内、あるいは、装置近傍に漂っている環境にある。よって本発明の光メモリ等のストレージに記録を行う半導体レーザおよびその光学系よりなるピックアップユニット（図１０の１０８参照）は、紙粉やトナー、インクなどによって汚れやすいという宿命にある。
【０１７８】
さらに、本発明の他の例である半導体不揮発メモリのように電気的入出力で、情報の書き込み／読み出し（出力）を行うものと違って、光メモリ等のストレージは、ピックアップユニットとストレージが物理的に分離していて、機械的動作を行うという動作原理そのものに起因するものであるが、故障しやすい（レーザダイオードの寿命あるいは機械動作部分の故障）という性格もある。とりわけ、本発明に特有な紙粉やトナー、インクなどの浮遊は、機械的動作の故障を引き起こす重要因子である。
【０１７９】
そこで、本発明では、これら汚れあるいは故障等による、信頼性の低さを補償するために、ピックアップユニットをドライブ部分から着脱可能とし、故障したり、レンズ等の光学系が汚れたりして、使用に支障をきたす場合に簡単に交換、あるいは、レンズ部分の清浄化ができるようにしている。
【０１８０】
このように、ＭＦＰ内にこのような光メモリ等のストレージを有するような本発明の場合、紙粉やトナー、インクなどによる光学系の汚染、あるいはピックアップユニットの機械的動作部分の故障があっても、これを着脱交換できるようにしているので、簡単に機能回復できるという利点がある。
【図面の簡単な説明】
【０１８１】
【図１】本発明の第１の実施形態に係る潜像担持体としての感光体ドラムをタンデム配列した乾式二成分現像方式のフルカラー作像装置の画像形成部を示す図である。
【図２】本発明の第１の実施形態に係る潜像担持体としての感光体ドラムをタンデム配列した乾式二成分現像方式のフルカラーの画像形成装置全体を示す図である。
【図３】本発明のフルカラーの画像形成装置に適用される自動原稿搬送読取装置の構成を示す図である。
【図４】本発明の第２の実施形態に係るインクジェット原理の記録装置の一例を説明するための図である。
【図５】本発明の第２の実施形態に係るサーマルインクジェット方式におけるインク噴射の動作原理を説明するための図である。
【図６】本発明の第２の実施形態に係るインクジェット記録の印写動作の構成の一例を説明するための図である。
【図７】本発明のプリンタ部、光メモリ、スキャナ、ハードディスク等の電気処理部の詳細説明図である。
【図８】本発明の１構成例として、ＭＦＰに光ディスクドライブユニットを組み込んだ構成を示す説明図である。
【図９】本発明に適用される情報書き込み前の光ディスクメディアを複数枚収納したマガジンの外観斜視図である。
【図１０】本発明に適用される光ディスクドライブユニットに光ディスクメディアを装着、情報書き込み、排出の動作原理を説明する図である。
【図１１】マガジン挿入後の光ディスクメディアを書き込み部に搬送する動作を説明するための図である。
【図１２】搬送トレイに搭載された光ディスクメディアが引き出されたときの状態を示す断面図である。
【図１３】本発明の１構成例として、ＭＦＰに光ディスクドライブユニットならびに収納部材ストック部を組み込んだ構成を示す説明図である。
【図１４】円盤型光ディスクメディアを収納する構成例を示す図である。
【図１５】円盤型光ディスクメディアを収納する他の構成例を示す図である。
【図１６】円盤型光ディスクメディアを収納するさらに他の構成例を示す図である。
【図１７】円盤型光ディスクメディアを収納するさらに他の構成例を示す図である。
【図１８】円盤型光ディスクメディアを収納するさらに他の構成例を示す図である。
【図１９】擬似カード型の光ディスクメディアを収納する構成例を示す図である。
【図２０】擬似カード型の光ディスクメディアを収納する他の構成例を示す図である。
【図２１】擬似カード型の光ディスクメディアを収納するさらに他の構成例を示す図である。
【図２２】カード型の可搬性の記憶メディアの収納（パッケージング）プロセスを示す概念図である。
【図２３】本発明のＭＦＰに設けられたカード型の可搬性の記憶メディアの収納（パッケージング）プロセスを行うための機構の１例をしめす図である。
【図２４】本発明の１構成例として、収納部材にインクジェット原理で情報を書き込むための専用のインクジェット記録部を有するＭＦＰの構成を示す説明図である。
【図２５】紙文書と記憶メディアを収納した収納部材を一体化する例を示す図である。
【符号の説明】
【０１８２】
Ａ…原稿セット部、Ｂ…分離給送部、Ｃ…レジスト部、Ｄ…ターン部、Ｅ…第１読取り搬送部（第１読取り位置）、Ｆ…第２読取り搬送部（第２読取り位置）、Ｇ…排紙部、Ｈ…スタック部、１…画像形成部、２…給紙部、３…読み取り部、４…排紙トレイ、５…中間転写ベルト、６…作像部、７…露光装置、８…定着装置、９…両面装置、１０…インク、１１…発熱体、１２…気泡、１３…インク滴、２０…記録紙、２１…給紙トレイ、２３…レジストローラ、２４…底板、２５…ピックアップローラ、２６…給紙ローラ、２７…縦搬送路、３１…コンタクトガラス、３２…第１の走行体、３３…第２の走行体、３４…レンズ、３５…ＣＣＤ、３６…自動原稿搬送読取装置、３７…読取りローラ、３８…読取り手段（第２読取り手段）、３８ａ…読取り面、３９…読取りローラ、４１…排紙ローラ、５１…２次転写装置、５２…中間転写ベルトクリーニング装置、６１…感光体、６２…帯電装置、６３…現像装置、６４…感光体クリーニング装置、６５…露光部、６６…１次転写装置、６７…ヘッドユニット、６８…ヘッドチップ、６９…ＦＰＣ、７０…インク容器部、７１…裏蓋、７２…インク吸収体、７３…記録紙、７４…インクジェットヘッドユニット、７５…ノズル、７６…キャリッジ、７７…ガイドロッド、７８…ネジ棒、７９…記録紙送りローラ、８０…記録紙押えコロ、８１…分岐爪、８２…ジャム紙排紙トレイ、８４…手差しトレイ、８５…光ディスクドライブユニット、８６…メディアストック部、８７…収納部材ストック部、８８…収納部材、８９…収納部、９０…ふた部、９１…分岐部、９２…反転排紙経路、９５…給紙カセット、９６…インクジェット記録部、９７…インクジェット記録排紙トレイ、１００…マガジン、１０１…三角形の方向表示印、１０２…搬送トレイ、１０３…光ディスクメディア、１０４…フック溝、１０５…穴、１０６…フック、１０７…回転軸、１０８…ピックアップ、１０９…光ディスクドライブユニット、１１０…書き込み部、１１１…切り欠き部、２０５…可搬性の記憶メディア、２０７…収納部材、２０８…基材、２０７ａ…仮折り部、２０７ｂ…仮折り部、２０７ｃ…仮折り部、２０７ｄ…仮折り部、２０７ｅ…下保護面、２０７ｆ…上保護面、２０７ｇ…フラップ、２０７ｈ…フラップ、２１０…パッケージ終了後の可搬性の記憶メディア、２１１…紙文書、２１２…ステイプラー、２５３…パッケージング機構、２６９…集積台、２７３…ロボットアームユニット、２７３ａ…ロボットハンド、２７４…収納部材ハンドリングユニット、２７４ａ…吸着パッド、２７５…仮折りユニット、２７６…折り込みユニット、２７８…固定治具、２７９…可動治具、２８２…基台、２８３…折込みアーム部、３０１…ＣＰＵ、３０２…ＲＡＭ、３０３…ＲＯＭ、３０４…ローカルバス、３０５…Ｉ／Ｏバス、３０６…ブリッジ回路、３０７…プリンタ部、３０８…プリンタＩ／Ｆ、３０９…光ディスクドライブ、３１０…光ディスクドライブＩ／Ｆ、３１１…スキャナ、３１２…スキャナＩ／Ｆ、３１３…ハードディスクドライブ、３１４…ＩＤＥ  Ｉ／Ｆ。
【図１】
2006270202.tif 000003
【図２】
2006270202.tif 000004
【図３】
2006270202.tif 000005
【図４】
2006270202.tif 000006
【図５】
2006270202.tif 000007
【図６】
2006270202.tif 000008
【図７】
2006270202.tif 000009
【図８】
2006270202.tif 000010
【図９】
2006270202.tif 000011
【図１０】
2006270202.tif 000012
【図１１】
2006270202.tif 000013
【図１２】
2006270202.tif 000014
【図１３】
2006270202.tif 000015
【図１４】
2006270202.tif 000016
【図１５】
2006270202.tif 000017
【図１６】
2006270202.tif 000018
【図１７】
2006270202.tif 000019
【図１８】
2006270202.tif 000020
【図１９】
2006270202.tif 000021
【図２０】
2006270202.tif 000022
【図２１】
2006270202.tif 000023
【図２２】
2006270202.tif 000024
【図２３】
2006270202.tif 000025
【図２４】
2006270202.tif 000026
【図２５】
2006270202.tif 000027